(57)【特許請求の範囲】
【請求項１】
SlTOM1a遺伝子の機能喪失体、SlTOM1c遺伝子の機能喪失体、およびSlTOM1d遺伝子の機能喪失体をホモ接合型で含み、
前記SlTOM1a遺伝子は、下記（ＮＡ）のポリヌクレオチドを含むトマトブラウンルゴスフルーツウイルス（Tomato brown rugose fruit virus：ToBRFV）抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、ToBRFV抵抗性トマト植物：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項２】
SlTOM1b遺伝子の機能喪失体を含み、
前記SlTOM1b遺伝子は、下記（ＮＢ）のポリヌクレオチドを含むToBRFV抵抗性抑制遺伝子である、請求項１記載のトマト植物：
（ＮＢ）下記（ＮＢ１）、（ＮＢ２）、（ＮＢ３）、（ＮＢ５）、（ＮＢ６）、または（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＢ３）前記（ＮＢ１）の塩基配列に対して、９０％以上の同一性を有する塩基配列からなり、ToBRFV抵抗性抑制活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＢ７）配列番号６のアミノ酸配列に対して、９０％以上の同一性を有するアミノ酸配列からなり、ToBRFV抵抗性抑制活性を有するタンパク質をコードするポリヌクレオチド。
【請求項３】
SlTOM1b遺伝子の機能喪失体をホモ接合型で含む、請求項２記載のトマト植物。
【請求項４】
SlTOM1a遺伝子の機能喪失体、SlTOM1b遺伝子の機能喪失体、およびSlTOM1c遺伝子の機能喪失体をホモ接合型で含み、
SlTOM1d遺伝子の機能喪失体をヘテロ接合型で含み、
前記SlTOM1a遺伝子は、下記（ＮＡ）のポリヌクレオチドを含むトマトブラウンルゴスフルーツウイルス（Tomato brown rugose fruit virus：ToBRFV）抵抗性抑制遺伝子であり、
前記SlTOM1c遺伝子は、下記（ＮＣ）のポリヌクレオチドを含むToBRFV抵抗性抑制遺伝子であり、
前記SlTOM1b遺伝子は、下記（ＮＢ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、ToBRFV抵抗性トマト植物：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＢ）下記（ＮＢ１）、（ＮＢ２）、（ＮＢ３）、（ＮＢ５）、（ＮＢ６）、または（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＢ３）前記（ＮＢ１）の塩基配列に対して、９０％以上の同一性を有する塩基配列からなり、ToBRFV抵抗性抑制活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＢ７）配列番号６のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項５】
前記機能喪失体は、各遺伝子の正常遺伝子に対して、１もしくは数個の塩基が欠失、置換、挿入および／または付加されることにより、生じた遺伝子である、請求項１から４のいずれか一項に記載のトマト植物。
【請求項６】
前記機能喪失体は、各遺伝子の正常遺伝子に対して、フレームシフト突然変異が導入されることにより生じた遺伝子である、請求項１から５のいずれか一項に記載のトマト植物。
【請求項７】
前記機能喪失体は、各遺伝子の正常遺伝子が部分欠失または完全欠失し、生じた遺伝子である、請求項１から６のいずれか一項に記載のトマト植物。
【請求項８】
前記機能喪失体は、各遺伝子の正常遺伝子において、エキソン領域に変異が導入されることにより生じた遺伝子である、請求項１から７のいずれか一項に記載のトマト植物。
【請求項９】
前記ToBRFV抵抗性トマト植物は、植物体またはその部分である、請求項１から８のいずれか一項に記載のトマト植物。
【請求項１０】
前記ToBRFV抵抗性トマト植物は、種子である、請求項１から９のいずれか一項に記載のトマト植物。
【請求項１１】
下記（ａ）工程および（ｂ）工程を含む、トマトブラウンルゴスフルーツウイルス（Tomato brown rugose fruit virus：ToBRFV）抵抗性トマト植物の生産方法：
（ａ）請求項１から１０のいずれか一項に記載のToBRFV抵抗性トマト植物と、他のトマト植物とを交雑する工程；
（ｂ）前記（ａ）工程より得られたトマト植物またはその後代系統から、ToBRFV抵抗性トマト植物を選抜する工程。
【請求項１２】
前記（ａ）工程に先立って、下記（ｘ）工程を含む、請求項１１に記載の生産方法：
（ｘ）被検トマト植物から、請求項１から１０のいずれか一項に記載のToBRFV抵抗性トマト植物を選抜する工程。
【請求項１３】
対象のトマト植物のSlTOM1a遺伝子、SlTOM1c遺伝子、およびSlTOM1d遺伝子を機能喪失させる機能喪失工程を含み、
前記機能喪失工程では、１対のSlTOM1a遺伝子の両者、１対のSlTOM1c遺伝子の両者、および１対のSlTOM1d遺伝子の両者に機能喪失変異を導入し、
前記SlTOM1a遺伝子は、下記（ＮＡ）のポリヌクレオチドを含むトマトブラウンルゴスフルーツウイルス（Tomato brown rugose fruit virus：ToBRFV）抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、トマト植物におけるToBRFV抵抗性の付与方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項１４】
対象のトマト植物のSlTOM1a遺伝子、SlTOM1b遺伝子、SlTOM1c遺伝子、およびSlTOM1d遺伝子を機能喪失させる機能喪失工程を含み、
前記機能喪失工程では、
１対のSlTOM1a遺伝子の両者、１対のSlTOM1b遺伝子の両者、および１対のSlTOM1c遺伝子の両者に機能喪失変異を導入し、
１対のSlTOM1d遺伝子の一方に機能喪失変異を導入し、
前記SlTOM1a遺伝子は、下記（ＮＡ）のポリヌクレオチドを含むトマトブラウンルゴスフルーツウイルス（Tomato brown rugose fruit virus：ToBRFV）抵抗性抑制遺伝子であり、
前記SlTOM1b遺伝子は、下記（ＮＢ）のポリヌクレオチドを含むToBRFV抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、トマト植物におけるToBRFV抵抗性の付与方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＢ）下記（ＮＢ１）、（ＮＢ２）、（ＮＢ３）、（ＮＢ５）、（ＮＢ６）、または（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＢ３）前記（ＮＢ１）の塩基配列に対して、９０％以上の同一性を有する塩基配列からなり、ToBRFV抵抗性抑制活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＢ７）配列番号６のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項１５】
対象のトマト植物にトマトブラウンルゴスフルーツウイルス（Tomato brown rugose fruit virus：ToBRFV）抵抗性を付与する付与工程を含み、
前記付与工程は、請求項１３または１４に記載のトマト植物におけるToBRFV抵抗性の付与方法により実施される、ToBRFV抵抗性トマト植物の生産方法。
【請求項１６】
被検トマト植物から、SlTOM1a遺伝子の機能喪失体、SlTOM1c遺伝子の機能喪失体、およびSlTOM1d遺伝子の機能喪失体をホモ接合型で含む被検トマト植物を、トマトブラウンルゴスフルーツウイルス（Tomato brown rugose fruit virus：ToBRFV）抵抗性トマト植物として選抜する選抜工程を含み、
前記SlTOM1a遺伝子は、下記（ＮＡ）のポリヌクレオチドを含むToBRFV抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、ToBRFV抵抗性トマト植物のスクリーニング方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項１７】
被検トマト植物から、
SlTOM1a遺伝子の機能喪失体、SlTOM1b遺伝子の機能喪失体、およびSlTOM1c遺伝子の機能喪失体をホモ接合型で含み、
SlTOM1d遺伝子の機能喪失体をヘテロ接合型で含む、被検トマト植物を、トマトブラウンルゴスフルーツウイルス（Tomato brown rugose fruit virus：ToBRFV）抵抗性トマト植物として選抜する選抜工程を含み、
前記SlTOM1a遺伝子は、下記（ＮＡ）のポリヌクレオチドを含むToBRFV抵抗性抑制遺伝子であり、
前記SlTOM1b遺伝子は、下記（ＮＢ）のポリヌクレオチドを含むToBRFV抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、ToBRFV抵抗性トマト植物のスクリーニング方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＢ）下記（ＮＢ１）、（ＮＢ２）、（ＮＢ３）、（ＮＢ５）、（ＮＢ６）、または（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＢ３）前記（ＮＢ１）の塩基配列に対して、９０％以上の同一性を有する塩基配列からなり、ToBRFV抵抗性抑制活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＢ７）配列番号６のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項１８】
被検トマト植物から、SlTOM1a遺伝子、SlTOM1c遺伝子、およびSlTOM1d遺伝子、またはSlTOM1a遺伝子、SlTOM1b遺伝子、SlTOM1c遺伝子、およびSlTOM1d遺伝子について、機能喪失している被検トマト植物をスクリーニングするスクリーニング工程を含み、
前記スクリーニング工程は、請求項１６または１７に記載のToBRFV抵抗性トマト植物のスクリーニング方法により実施される、ToBRFV抵抗性トマト植物の生産方法。
【請求項１９】
トマト植物のトマトブラウンルゴスフルーツウイルス（Tomato brown rugose fruit virus：ToBRFV）抵抗性の検出方法であって、
被検トマト植物において、SlTOM1a遺伝子の機能喪失体、SlTOM1c遺伝子の機能喪失体、およびSlTOM1d遺伝子の機能喪失体がホモ接合型で存在しているかを検出する検出工程を含み、
前記SlTOM1a遺伝子は、下記（ＮＡ）のポリヌクレオチドを含むToBRFV抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、検出方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項２０】
トマト植物のトマトブラウンルゴスフルーツウイルス（Tomato brown rugose fruit virus：ToBRFV）抵抗性の検出方法であって、
被検トマト植物において、
SlTOM1a遺伝子の機能喪失体、SlTOM1b遺伝子の機能喪失体、およびSlTOM1c遺伝子の機能喪失体がホモ接合型で存在し、
SlTOM1d遺伝子の機能喪失体がヘテロ接合型で存在しているかを検出する検出工程を含み、
前記SlTOM1a遺伝子は、下記（ＮＡ）のポリヌクレオチドを含むToBRFV抵抗性抑制遺伝子であり、
前記SlTOM1b遺伝子は、下記（ＮＢ）のポリヌクレオチドを含むToBRFV抵抗性抑制遺伝子であり、
前記SlTOM1c遺伝子は、下記（ＮＣ）のポリヌクレオチドを含むToBRFV抵抗性抑制遺伝子であり、
前記SlTOM1d遺伝子は、下記（ＮＤ）のポリヌクレオチドを含むToBRFV抵抗性抑制遺伝子である、検出方法：
（ＮＡ）下記（ＮＡ１）、（ＮＡ２）、（ＮＡ３）、（ＮＡ５）、（ＮＡ６）、または（ＮＡ７）のポリヌクレオチド；
（ＮＡ１）配列番号１および２のいずれかの塩基配列からなるポリヌクレオチド；
（ＮＡ２）前記（ＮＡ１）の塩基配列において、１〜１３２個の塩基が欠失、置換、挿入および／または付加された塩基配列からなり、ToBRFV抵抗性抑制活性を有するタンパク質をコードするポリヌクレオチド；
（ＮＡ３）前記（ＮＡ１）の塩基配列に対して、９０％以上の同一性を有する塩基配列からなり、ToBRFV抵抗性抑制活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＡ７）配列番号３のアミノ酸配列に対して、９０％以上の同一性を有するアミノ酸配列からなり、ToBRFV抵抗性抑制活性を有するタンパク質をコードするポリヌクレオチド；
（ＮＢ）下記（ＮＢ１）、（ＮＢ２）、（ＮＢ３）、（ＮＢ５）、（ＮＢ６）、または（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＢ３）前記（ＮＢ１）の塩基配列に対して、９０％以上の同一性を有する塩基配列からなり、ToBRFV抵抗性抑制活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＢ７）配列番号６のアミノ酸配列に対して、９０％以上の同一性を有するアミノ酸配列からなり、ToBRFV抵抗性抑制活性を有するタンパク質をコードするポリヌクレオチド；
（ＮＣ）下記（ＮＣ１）、（ＮＣ２）、（ＮＣ３）、（ＮＣ５）、（ＮＣ６）、または（ＮＣ７）のポリヌクレオチド；
（ＮＣ１）配列番号７および８のいずれかの塩基配列からなるポリヌクレオチド；
（ＮＣ２）前記（ＮＣ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＣ３）前記（ＮＣ１）の塩基配列に対して、９０％以上の同一性を有する塩基配列からなり、ToBRFV抵抗性抑制活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＣ７）配列番号９のアミノ酸配列に対して、９０％以上の同一性を有するアミノ酸配列からなり、ToBRFV抵抗性抑制活性を有するタンパク質をコードするポリヌクレオチド；
（ＮＤ）下記（ＮＤ１）、（ＮＤ２）、（ＮＤ３）、（ＮＤ５）、（ＮＤ６）、または（ＮＤ７）のポリヌクレオチド；
（ＮＤ１）配列番号１０の塩基配列からなるポリヌクレオチド；
（ＮＤ２）前記（ＮＤ１）の塩基配列において、１〜６６個の塩基が欠失、置換、挿入および／または付加された塩基配列からなり、ToBRFV抵抗性抑制活性を有するタンパク質をコードするポリヌクレオチド；
（ＮＤ３）前記（ＮＤ１）の塩基配列に対して、９０％以上の同一性を有する塩基配列からなり、ToBRFV抵抗性抑制活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１〜１５個のアミノ酸が欠失、置換、挿入および／または付加されたアミノ酸配列からなり、ToBRFV抵抗性抑制活性を有するタンパク質をコードするポリヌクレオチド；
（ＮＤ７）配列番号１１のアミノ酸配列に対して、９０％以上の同一性を有するアミノ酸配列からなり、ToBRFV抵抗性抑制活性を有するタンパク質をコードするポリヌクレオチド。
【請求項２１】
請求項１から１０のいずれか一項に記載のToBRFV抵抗性トマト植物を用いた、トマト植物の加工食品。
【発明の詳細な説明】
【技術分野】
【０００１】
本発明は、トバモウイルス抵抗性トマト植物、トバモウイルス抵抗性トマト植物の生産方法、トマト植物におけるトバモウイルス抵抗性の付与方法、トバモウイルス抵抗性トマト植物のスクリーニング方法およびトマト植物におけるトバモウイルス抵抗性の検出方法に関する。
【背景技術】
【０００２】
トマト栽培においては、トバモウイルス属のトマトモザイクウイルス（ToMV）の防除が重要であり、栽培用のトマト植物には、トマトモザイクウイルス抵抗性遺伝子が導入されている。
【０００３】
Tm-22（Tm-2a）は、打破されにくいToMV抵抗性遺伝子として知られており、市販のほぼすべての栽培品種のトマト植物に導入されている。しかしながら、２０１５年にはTm-22が効果を示さない新たなトバモウイルスであるTomato brown rugose fruit virus (ToBRFV)が中東で発見され、世界各国に感染地域が拡大し、問題となっている（非特許文献１および２）。
【先行技術文献】
【非特許文献】
【０００４】
【非特許文献１】N. Salem et.al, “A new tobamovirus infecting tomato crops in Jordan”, Arch. Virol., 2016, vol. 161, pages 503-506
【非特許文献２】Neta Luria et.al, “A New Israeli Tobamovirus Isolate Infects Tomato Plants Harboring Tm-22 Resistance Genes”, PLOS One, 2017, vol. 12, No. 1, e0170429
【発明の概要】
【発明が解決しようとする課題】
【０００５】
そこで、本発明は、ToBRFVに対する抵抗性を有するトマト植物の提供を目的とする。
【課題を解決するための手段】
【０００６】
前記目的を達成するために、本発明のトバモウイルス抵抗性トマト植物（以下、「抵抗性植物」ともいう）は、SlTOM1a遺伝子、SlTOM1c遺伝子、およびSlTOM1dについて、機能喪失している。
【０００７】
本発明のトバモウイルス抵抗性トマト植物の生産方法（以下、「第１の生産方法」ともいう）は、下記（ａ）工程を含む：
（ａ）本発明のトバモウイルス抵抗性トマト植物と、他のトマト植物とを交雑する工程。
【０００８】
本発明のトマト植物におけるトバモウイルス抵抗性の付与方法（以下、「付与方法」ともいう）は、対象のトマト植物のSlTOM1a遺伝子、SlTOM1c遺伝子、およびSlTOM1d遺伝子を機能喪失させる機能喪失工程を含む。
【０００９】
本発明のトバモウイルス抵抗性トマト植物の生産方法（以下、「第２の生産方法」ともいう）は、対象のトマト植物にトバモウイルス抵抗性を付与する付与工程を含み、
前記付与工程は、前記本発明のトマト植物におけるトバモウイルス抵抗性の付与方法により実施される。
【００１０】
本発明のトバモウイルス抵抗性トマト植物のスクリーニング方法（以下、「スクリーニング方法」ともいう）は、被検トマト植物から、SlTOM1a遺伝子、SlTOM1c遺伝子、およびSlTOM1d遺伝子を機能喪失している被検トマト植物を、トバモウイルス抵抗性トマト植物として選抜する選抜工程を含む。
【００１１】
本発明のトバモウイルス抵抗性トマト植物の生産方法（以下、「第３の生産方法」ともいう）は、被検トマト植物から、SlTOM1a遺伝子、SlTOM1c遺伝子、およびSlTOM1d遺伝子について、機能喪失している、被検トマト植物をスクリーニングするスクリーニング工程を含み、
前記スクリーニング工程は、前記本発明のトバモウイルス抵抗性トマト植物のスクリーニング方法により実施される。
【００１２】
本発明のトマト植物のトバモウイルス抵抗性の検出方法（以下、「検出方法」ともいう）は、被検トマト植物において、SlTOM1a遺伝子、SlTOM1c遺伝子、およびSlTOM1d遺伝子が機能喪失しているかを検出する検出工程を含む。
【００１３】
本発明のトマト植物の加工食品は、本発明のトバモウイルス抵抗性トマト植物を用いる。
【発明の効果】
【００１４】
本発明のトマト植物は、ToBRFVに対する抵抗性を有する。
【図面の簡単な説明】
【００１５】
【図１】図１は、実施例１におけるＣＢＢ染色後の染色図を示す写真である。
【図２】図２は、実施例１におけるＣＢＢ染色後の染色図を示す写真である。
【図３】図３は、実施例１におけるトバモウイルス接種後２０日目における各植物を示す写真である。
【図４】図４は、実施例１における野生型株ならびに変異体の生育および果実形成を示す写真である。
【図５】図５は、実施例２におけるトマト植物の発病指数の評価基準を示す写真である。
【図６】図６は、実施例２におけるＣＰをコードするゲノミックＲＮＡの相対量を示すグラフである。
【発明を実施するための形態】
【００１６】
＜トバモウイルス抵抗性トマト植物＞
本発明のトバモウイルス抵抗性トマト植物は、前述のように、SlTOM1a遺伝子、SlTOM1c遺伝子、およびSlTOM1dについて、機能喪失している。本発明のトバモウイルス抵抗性トマト植物は、SlTOM1a遺伝子、SlTOM1c遺伝子、およびSlTOM1dについて、機能喪失していることが特徴であり、その他の構成および条件は、特に制限されない。
【００１７】
本発明者らは、鋭意研究の結果、トマト植物への感染において、トバモウイルスが、SlTOM1（Solanum lycopersicum TOM1）遺伝子群を利用しているとの知見を得た。そして、本発明者らは、SlTOM1遺伝子群において、SlTOM1a遺伝子、SlTOM1c遺伝子、およびSlTOM1d遺伝子を機能欠損させることにより、特に、SlTOM1d遺伝子の機能欠損をSlTOM1遺伝子群の他の遺伝子の機能欠損と組合わせることにより、トマト植物が、ToMVに加えて、ToBRFVに対する抵抗性を示すことを見出し、本発明を確立するに至った。これは、トバモウイルスが、RNAの複製において、SlTOM1遺伝子群を用いているものの、SlTOM1a遺伝子、SlTOM1c遺伝子、およびSlTOM1d遺伝子の機能喪失により、増殖できなくなったためと推定される。なお、本発明は前記推定に何ら制限されない。このため、本発明によれば、トバモウイルス、特に、ToBRFVに対する抵抗性を示すトマト植物を提供できる。
【００１８】
本発明において、トバモウイルスは、トバモウイルス属（Genus Tobamovirus）に属するウイルスを意味する。前記トバモウイルス属に属するウイルスとしては、例えば、トマトモザイクウイルス（Tomato mosaic virus（ToMV））、Tomato brown rugose fruit virus（ToBRFV）、Tomato mottle mosaic virus（ToMMV）、タバコモザイクウイルス（Tobacco mosaic virus）、スイカ緑斑モザイクウイルス（Cucumber green mottle mosaic virus）、トウガラシ微斑ウイルス（Pepper mild mottle virus）、タバコ微斑モザイクウイルス（Tobacco mild green mosaic virus）、パプリカ微斑ウイルス（Paprika mild mottle virus）、キュウリ緑斑モザイクウイルス（Kyuri green mottle mosaic virus）、ハイビスカス潜在フォートピアスウイルス（Hibiscus latent Fort Pierce virus）、オドントグロッサム輪点ウイルス（Odontoglossum ringspot virus）、ジオウモザイクウイルス（Rehmannia mosaic virus）、ウチワサボテンサモンズウイルス（Sammon’s Opuntia virus）、ワサビ斑紋ウイルス（Wasabi mottle virus）、アブラナモザイクウイルス（Youcai mosaic virus）、サンヘンプモザイクウイルス（Sunn-hemp mosaic virus）等があげられる。前記トバモウイルスは、トマト植物に感染可能なトバモウイルスが好ましい。前記トマト植物に感染可能なトバモウイルスは、例えば、ToMV、ToBRFV、ToMMV等があげられる。
【００１９】
本発明において、「トバモウイルス抵抗性」は、例えば、「トバモウイルス病耐性」ともいう。前記抵抗性は、例えば、トバモウイルスの感染による病害の発生および進行に対する阻害能または抑制能を意味し、具体的に、例えば、病害の未発生、発生した病害の進行の停止、および、発生した病害の進行の抑制（「阻害」ともいう。）等のいずれでもよい。
【００２０】
本発明において、トバモウイルス抵抗性トマト植物は、いずれか１つ以上のトバモウイルスに対して抵抗性を示せばよく、好ましくは、ToBRFVまたはToMVであり、より好ましくは、ToBRFVおよびToMVである。
【００２１】
本発明において、「トバモウイルス抵抗性」は、例えば、野生型のSlTOM1遺伝子群（正常なSlTOM1遺伝子群）を有するトマト植物と比較して、トバモウイルスに対して有意に抵抗性を示すことを意味する。本発明において、「トバモウイルス抵抗性」は、例えば、被検トマト植物の子葉（吸水後約１０日目）にトバモウイルスを接種し、接種後の所定期間（約７日）におけるトバモウイルスの外被タンパク質の発現の有無もしくは発現量の測定、または接種後の所定期間（約２０日）後におけるトバモウイルスによる発病の有無または発病の程度に基づき、評価できる。
【００２２】
前記外被タンパク質の発現に基づき評価する場合、外被タンパク質の発現は、後述の実施例１の説明を参照できる。そして、被検トマト植物における外被タンパク質の発現量が、SlTOM1a遺伝子の機能喪失遺伝子、SlTOM1c遺伝子の機能喪失遺伝子およびSlTOM1d遺伝子の機能喪失遺伝子をホモ接合型で有するトマト植物における外被タンパク質の発現量と同じ（有意差がない）の場合、および／またはSlTOM1a遺伝子の機能喪失遺伝子、SlTOM1c遺伝子の機能喪失遺伝子およびSlTOM1d遺伝子の機能喪失遺伝子をホモ接合型で有するトマト植物における外被タンパク質の発現量より（有意に）低い場合、前記被検トマト植物は、例えば、トバモウイルス抵抗性と評価できる。被検トマト植物における外被タンパク質の発現量が、野生型のSlTOM1a遺伝子、野生型のSlTOM1c遺伝子および野生型のSlTOM1d遺伝子をホモ接合型で有するトマト植物における外被タンパク質の発現量と同じ（有意差がない）または（有意に）高い場合、および／またはSlTOM1a遺伝子の機能喪失遺伝子、SlTOM1c遺伝子の機能喪失遺伝子およびSlTOM1d遺伝子の機能喪失遺伝子をホモ接合型で有するトマト植物における外被タンパク質の発現量より（有意に）高い場合、前記被検トマト植物は、例えば、トバモウイルス罹病性と評価できる。
【００２３】
前記トバモウイルスの発病に基づき評価する場合、トバモウイルスの発病は、例えば、下記参考情報１に記載の病徴を参照し、糸状の葉の形成の有無および／または生育遅延の有無により判断することができる。前記糸状の葉は、例えば、葉の一部が萎縮し、糸状の形態を示すことを意味し、具体例として、下記参考情報１におけるSymptoms of ToBRFV (German DSMZ isolate) on Solanum lycopersicum cv. 'moneymaker' obtained by artificial inoculation under quarantine facilities (France, 2019)の例を参照できる。被検トマト植物がトバモウイルスに感染した場合、前記被検トマト植物では、例えば、糸状の葉の形成および／または生育遅延が観察される。このため、前記被検トマト植物が、糸状の葉の形成を形成している場合、および／または生育遅延している場合、前記被検トマト植物は、トバモウイルスに罹患している、すなわち、トバモウイルス罹病性であると評価できる。他方、前記被検トマト植物が、糸状の葉の形成を形成していない場合、および／または生育遅延していない場合、前記被検トマト植物は、トバモウイルスに罹患していない、すなわち、トバモウイルス抵抗性であると評価できる。前記生育遅延は、トバモウイルスに感染していないトマト植物（例えば、トバモウイルス未接種の個体）と比較することにより評価してもよいし、前記被検トマト植物の栽培日数を勘案し、一般的なトマト植物の生育状態と比較することにより、評価してもよい。
参考情報１：European and Mediterranean Plant Protection Organization (EPPO), “EPPO Global Database”, [online], ［令和２年２月１２日検索］, インターネット <https://gd.eppo.int/taxon/tobrfv/photos>
【００２４】
具体例として、前記「トバモウイルス抵抗性」は、後述の実施例２の方法と同様に準じて、トマト植物の発病指数を評価し、前記発病指数から算出する発病度により表わすことができる。この方法による前記発病度の算出は、後述する実施例２の説明を援用でき、例えば、発病度１未満をトバモウイルス抵抗性（耐病性）、発病度１以上をトバモウイルス罹病性と設定できる。前記発病度により前記トバモウイルス抵抗性を判断する場合、前記発病度は、例えば、１株のトマト植物の発病度でもよいし、２株以上のトマト植物の平均の発病度でもよいが、後者が好ましい。後者の場合、前記トバモウイルス抵抗性の判断に使用するトマト植物の数は、特に制限されず、例えば、トバモウイルス罹病性トマト植物との統計学的な検定が可能な数であり、具体例として、５〜２０株、５株である。
【００２５】
本発明において、「トマト植物」は、ナス属SolanumのSubgenus Solanum sensu stricoにおけるSection Lycopersionに分類される植物である。具体例として、前記トマト植物は、例えば、S. lycopersicum、S. peruvianum、S. arcanum Peralta、S. chilense、S. corneliomulleri、S. huaylasense Peralta、S. cheesmaniae (L.Riley) Fosberg、S. chmielewskii、S. galapagense S.C.Darwin & Peralta、S. habrochaites、S. neorickii、S. pennelli、S. pimpinellifolium等があげられ、好ましくは、交雑が容易なS. lycopersicumである。本発明において、前記トマト植物は、例えば、栽培用トマト植物である。前記栽培用トマト植物は、例えば、トマト植物の栽培品種ということもできる。
【００２６】
本発明において、「植物体」は、植物全体を示す植物個体および前記植物個体の部分のいずれの意味であってもよい。前記植物個体の部分は、例えば、器官、組織、細胞または栄養繁殖体等があげられ、いずれでもよい。前記器官は、例えば、花弁、花冠、花、葉、種子、果実、茎、根等があげられる。前記組織は、例えば、前記器官の部分である。前記植物体の部分は、例えば、１種類の器官、組織および／または細胞でもよいし、２種類以上の器官、組織および／または細胞でもよい。
【００２７】
前述のように、トバモウイルスは、トマト植物への感染において、SlTOM1遺伝子群を利用していると推定される。すなわち、SlTOM1遺伝子群は、トバモウイルス抵抗性制御活性を有する遺伝子群といえる。本発明において、遺伝子がトバモウイルス抵抗性制御活性を有するとは、当該遺伝子が正常な状態（例えば、野生型の遺伝子）で存在すればトバモウイルス抵抗性という形質の出現が抑制されること、すなわちトバモウイルス抵抗性を負に制御することを意味する。また、SlTOM1遺伝子群は、トバモウイルス抵抗性制御活性を有する遺伝子群であることから、SlTOM1遺伝子群を構成する各遺伝子は、例えば、トバモウイルス抵抗性制御遺伝子ということもできる。さらに、各遺伝子は、前述のように、トバモウイルスの増殖またはRNAの複製を制御することにより、トバモウイルス抵抗性に寄与していると推定される。このため、SlTOM1遺伝子群を構成する各遺伝子は、例えば、トバモウイルス増殖制御遺伝子またはトバモウイルス複製制御遺伝子ということもできる。以下、各遺伝子は、特に言及しない限り、SlTOM1a遺伝子、SlTOM1b遺伝子、SlTOM1c遺伝子、および／またはSlTOM1d遺伝子を意味する。
【００２８】
本発明において、SlTOM1遺伝子群およびそれを構成する後述の各遺伝子は、は、ＲＮＡ（例えば、ｍＲＮＡ）の形態、またはＤＮＡの形態（例えば、ｃＤＮＡまたはゲノムＤＮＡ）で存在し得る。ＤＮＡは、二本鎖であっても、一本鎖であってもよい。本発明において、前記遺伝子は、非翻訳領域（ＵＴＲ）の配列等の付加的な配列を含むものであってもよい。
【００２９】
トマト植物において、前記SlTOM1遺伝子群は、SlTOM1a遺伝子、SlTOM1c遺伝子、およびSlTOM1d遺伝子に加え、SlTOM1b遺伝子を有する。以下、各遺伝子について説明する。また、以下の説明において、SlTOM1a遺伝子、SlTOM1b遺伝子、SlTOM1c遺伝子、およびSlTOM1d遺伝子は、それぞれ、正常な、すなわち、トバモウイルス抵抗性制御活性を有する、野生型のSlTOM1a遺伝子、SlTOM1b遺伝子、SlTOM1c遺伝子、およびSlTOM1d遺伝子を意味する。
【００３０】
SlTOM1a遺伝子は、LeTH1ということもできる。SlTOM1a遺伝子は、例えば、Sol genomics network（Solyc：https://solgenomics.net/）においてアクセッション番号：Solyc04g008540で登録されている塩基配列（配列番号１）からなるポリヌクレオチド、Genbankにアクセッション番号：AB193041で登録されている塩基配列（配列番号２）からなるポリヌクレオチド等があげられる。なお、以下の各塩基配列において、特に言及しない限り、下線で示す塩基配列が、タンパク質をコードする塩基配列である。また、SlTOM1a遺伝子がコードするタンパク質は、例えば、Solycにおいて、アクセッション番号：Solyc04g008540で登録されているアミノ酸配列（配列番号３）からなるポリペプチド、Genbankにアクセッション番号：AB193041で登録されている塩基配列（配列番号３）からなるポリペプチド等があげられる。
【００３１】
SlTOM1a遺伝子のｃＤＮＡの塩基配列（配列番号１、Solyc04g008540）
5'-TAATAGTCAAAAAGAATAAATCCTAGAACGTTCAGGGAACGCCGCTGTGTTTCTCTCCTTTCTCGCCGGCCGTTTTAGGCTCAATAATTTTCTGATCAAACAAAAAATTCTCTAAAATTTCATTTATTTCGTATTTTTTGGTGTGTCTAATTTCGGATCTCCGGCGATGGGTCGGGTTGAAACAGCGGTGGACCCGTCGTCGACGGCTGCGGTGGCGGCGTACCGTTTACATGAGGCAATAAGCTGGTGGGATGAAGTGAATGAATCTCCTATTTGGCAAGACCGTATTTTCTATGTCCTTGCGATCTTATACGGCGTCGTTTCTGCTGTTGCTCTTGTGCAATTAATCCGGATTCAGATGAGAGTTCCCGAGTATGGATGGACCACTCAGAAAGTCTTCCATTTCCTCAATTTCTTGGTGAATGGGGTTCGCTCTCTGGTTTTTGTATTTCGTCGGGATGTTCAGAAGTTGAACCCTGAGATTATCCAACACATCTTGCTTGATATGCCAAGTCTTGCATTCTTCACAACTTTTGCGCTTCTAGTATTGTTCTGGGCTGAGATATACTATCAGGCACGTGCTGTATCTACTGATGCTCTTAGGCCTAGTTTCTTCACAATCAATGGAGTTGTTTATGCTATTCAGATTATTTTATGGCTGATAATATGGTGGAAGCCTGTTCCAGTACTCGTCATCTTATCGAAGGCATTCTTTGCAGGTGTATCTCTATTTGCAGCCTTGGGGTTTCTTCTTTATGGAGGAAGGCTTTTCCTTATGTTACGGCGTTTCCCTGTAGAATCAAGGGGGAGACAGAAGAAACTTCAGGAAGTTGGTTATGTGACAACAATATGTTTTTCATGCTTCCTGATTAGATGCATTATGATGTGTTTCAATGCATTTGATAAAGCTGCGGATCTTGATGTTTTATATCATCCAATGTTAAATTTTGTATACTATCTGTTGGTAGAGATTCTACCTTCTTCACTTGTCCTTTTCATTTTGAGGAAGTTGCCTCCAAAGCGAGGGATCACGCAGTACCACCCTATTCGCTGATACAACAGCGTGCATCGGATGATGAAATCAAGCGCTGGGATCAGGTTATCAGATGAGTTGGCTTTTACGATACTCGTCCTACCCATATAGTGAGATACTGTACATGGAGCATGGTTCATCAGGACTCTGGAAAAATAGTTTGTTCTCTGCAGATATTAGTTGTGTCTGTAATTTGTTTGTAGTCTTGATACAAGAGTTGTGGAAGAAGTTGTGTTATTTCTAGTGTAATTATCTTCATATTTGTATGTTTGAGATTTCAATTGATTATTC-3'
【００３２】
SlTOM1a遺伝子のｃＤＮＡの塩基配列（配列番号２、AB193041）
5'-GAAAAAGAATAAATCCTAGAACGTTCAGGGAACGCCGCTGTGTTTCTCTCCTTTCTCGCCGGCCGTTTTAGGCTCAATAATTTTCTGATCAAACAAAAAATTCTCTAAAATTTCATTTATTTCGTATTTTTTGGTGTGTCTAATTTCGGATCTCCGGCGATGGGTCGGGTTGAAACAGCGGTGGACCCGTCGTCGACGGCTGCGGTGGCGGCGTACCGTTTACATGAGGCAATAAGCTGGTGGGATGAAGTGAATGAATCTCCTATTTGGCAAGACCGTATTTTCTATGTCCTTGCGATCTTATACGGCGTCGTTTCTGCTGTTGCTCTTGTGCAATTAATCCGGATTCAGATGAGAGTTCCCGAGTATGGATGGACCACTCAGAAAGTCTTCCATTTCCTCAATTTCTTGGTGAATGGGGTTCGCTCTCTGGTTTTTGTATTTCGTCGGGATGTTCAGAAGTTGAACCCTGAGATTATCCAACACATCTTGCTTGATATGCCAAGTCTTGCATTCTTCACAACTTTTGCGCTTCTAGTATTGTTCTGGGCTGAGATATACTATCAGGCACGTGCTGTATCTACTGATGCTCTTAGGCCTAGTTTCTTCACAATCAATGGAGTTGTTTATGCTATTCAGATTATTTTATGGCTGATAATATGGTGGAAGCCTGTTCCAGTACTCGTCATCTTATCGAAGGCATTCTTTGCAGGTGTATCTCTATTTGCAGCCTTGGGGTTTCTTCTTTATGGAGGAAGGCTTTTCCTTATGTTACGGCGTTTCCCTGTAGAATCAAGGGGGAGACAGAAGAAACTTCAGGAAGTTGGTTATGTGACAACAATATGTTTTTCATGCTTCCTGATTAGATGCATTATGATGTGTTTCAATGCATTTGATAAAGCTGCGGATCTTGATGTTTTATATCATCCAATGTTAAATTTTGTATACTATCTGTTGGTAGAGATTCTACCTTCTTCACTTGTCCTTTTCATTTTGAGGAAGTTGCCTCCAAAGCGAGGGATCACGCAGTACCACCCTATTCGCTGATACAACAGCGTGCATCGGATGATGAAATCAAAGCGCTGGGATCAGGTTATCAGATGAGTTGGCTTTTACGATACTCGTCCTACCCATATAGTGAGATACTGTACATGGAGCATGGTTCATCAGGACTCTGGAAAAATAGTTTGTTCTCTGCAGATATTAGTTGTGTCTGTAATTTGTTTGTAGTCTTGATACAAGAGTTGTGGAAGAAGTTGTGTTATTTCTAGTGTAATTATCTTCATATTTGTATGTTTGAGATTTCAATTGATTATTCTTTTCCCCCAAAAAAAAAAAAAAAATCCTGCGGCA-3'
【００３３】
SlTOM1a遺伝子がコードするタンパク質（配列番号３、Solyc04g008540、AB193041）
MGRVETAVDPSSTAAVAAYRLHEAISWWDEVNESPIWQDRIFYVLAILYGVVSAVALVQLIRIQMRVPEYGWTTQKVFHFLNFLVNGVRSLVFVFRRDVQKLNPEIIQHILLDMPSLAFFTTFALLVLFWAEIYYQARAVSTDALRPSFFTINGVVYAIQIILWLIIWWKPVPVLVILSKAFFAGVSLFAALGFLLYGGRLFLMLRRFPVESRGRQKKLQEVGYVTTICFSCFLIRCIMMCFNAFDKAADLDVLYHPMLNFVYYLLVEILPSSLVLFILRKLPPKRGITQYHPIR
【００３４】
具体例として、SlTOM1a遺伝子は、例えば、下記（ＮＡ）のポリヌクレオチドを含むトバモウイルス抵抗性制御遺伝子があげられる。
（ＮＡ）下記（ＮＡ１）〜（ＮＡ７）のいずれかのポリヌクレオチド；
（ＮＡ１）配列番号１および２のいずれかの塩基配列からなるポリヌクレオチド；
（ＮＡ２）前記（ＮＡ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＡ３）前記（ＮＡ１）の塩基配列に対して、８０％以上の同一性を有する塩基配列からなり、トバモウイルス抵抗性制御活性を有するタンパク質をコードするポリヌクレオチド；
（ＮＡ４）前記（ＮＡ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＡ７）配列番号３のアミノ酸配列に対して、８０％以上の同一性を有するアミノ酸配列からなり、トバモウイルス抵抗性制御活性を有するタンパク質をコードするポリヌクレオチド。
【００３５】
前記（ＮＡ２）〜（ＮＡ４）および（ＮＡ６）〜（ＮＡ７）のポリヌクレオチドにおいて、「トバモウイルス抵抗性制御活性を有する」は、例えば、前記（ＮＡ１）または（ＮＡ５）と同等（有意差がない）のトバモウイルス抵抗性制御活性を有することを意味する。
【００３６】
前記（ＮＡ１）において、配列番号１の塩基配列は、（ＮＡ５）のコード配列である。配列番号１の塩基配列は、例えば、S. lycopersicumのHeinz 1706から得ることができる。また、前記（ＮＡ１）において、配列番号２の塩基配列は、（ＮＡ５）のコード配列である。配列番号２の塩基配列は、例えば、S. lycopersicumのcv. Craigella GCR26から得ることができる。
【００３７】
前記（ＮＡ２）において、「１もしくは数個」は、例えば、前記（ＮＡ２）のポリヌクレオチドによってコードされるタンパク質が、前記トバモウイルス抵抗性制御活性を有する範囲であればよい。前記（ＮＡ２）の「１もしくは数個」は、前記（ＮＡ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。本発明において、塩基数またはアミノ酸数等の個数の数値範囲は、例えば、その範囲に属する正の整数を全て開示するものである。つまり、例えば、「１〜５個」との記載は、「１、２、３、４、５個」の全ての開示を意味する（以下、同様）。
【００３８】
前記（ＮＡ３）において、「同一性」は、例えば、前記（ＮＡ３）のポリヌクレオチドによってコードされるタンパク質が、前記トバモウイルス抵抗性制御活性を有する範囲であればよい。前記（ＮＡ３）の同一性は、前記（ＮＡ１）の塩基配列に対して、例えば、８０％以上、８５％以上、９０％以上、９５％以上、９６％以上、９７％以上、９８％以上、９９％以上である。前記「同一性」は、２つの塩基配列またはアミノ酸配列をアライメントすることによって求めることができる（以下、同様）。前記アライメントは、例えば、ＢＬＡＳＴ、ＦＡＳＴＡ等を用いてデフォルトのパラメータで算出できる。
【００３９】
前記（ＮＡ４）において、「ハイブリダイズするポリヌクレオチド」は、例えば、前記（ＮＡ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。
【００４０】
前記（ＮＡ４）において、「ストリンジェントな条件」は、例えば、低ストリンジェントな条件、中ストリンジェントな条件、高ストリンジェントな条件のいずれでもよい。「低ストリンジェントな条件」は、例えば、５×ＳＳＣ、５×デンハルト溶液、０．５％ＳＤＳ、５０％ホルムアミド、３２℃の条件である。「中ストリンジェントな条件」は、例えば、５×ＳＳＣ、５×デンハルト溶液、０．５％ＳＤＳ、５０％ホルムアミド、４２℃の条件である。「高ストリンジェントな条件」は、例えば、５×ＳＳＣ、５×デンハルト溶液、０．５％ＳＤＳ、５０％ホルムアミド、５０℃の条件である。ストリンジェンシーの程度は、当業者であれば、例えば、温度、塩濃度、プローブの濃度および長さ、イオン強度、時間等の条件を適宜選択することで、設定可能である。「ストリンジェントな条件」は、例えば、前述したザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載の条件を採用することもできる。
【００４１】
前記（ＮＡ５）のポリヌクレオチドは、例えば、前記（ＮＡ５）のポリヌクレオチドによってコードされるタンパク質が、前記トバモウイルス抵抗性制御活性を有する塩基配列であればよい。前記（ＮＡ５）のポリヌクレオチドの塩基配列は、例えば、前記配列番号３のアミノ酸配列に基づいて、対応するコドンに置き換えることで設計可能である。
【００４２】
前記（ＮＡ６）において、アミノ酸配列に関する「１もしくは数個」は、例えば、前記（ＮＡ６）のポリヌクレオチドによってコードされるタンパク質が、前記トバモウイルス抵抗性制御活性を有する範囲であればよい。前記（ＮＡ６）の「１もしくは数個」は、例えば、前記配列番号３のアミノ酸配列において、例えば、１〜５９個、１〜４４個、１〜３０個、１〜１５個、１〜１１個、１〜８個、１〜６個、１〜３個、１または２個、１個である。
【００４３】
前記（ＮＡ７）において、アミノ酸配列に関する「同一性」は、例えば、前記（ＮＡ７）のポリヌクレオチドによってコードされるタンパク質が、前記トバモウイルス抵抗性制御活性を有する範囲であればよい。前記（ＮＡ７）の同一性は、前記配列番号３のアミノ酸配列に対して、例えば、８０％以上、８５％以上、９０％以上、９５％以上、９６％以上、９７％以上、９８％以上、９９％以上である。
【００４４】
SlTOM1b遺伝子は、LeTH2ということもできる。SlTOM1b遺伝子は、例えば、Solycにおいてアクセッション番号：Solyc01g105270で登録されている塩基配列（配列番号４）からなるポリヌクレオチド、Genbankにアクセッション番号：AB193042で登録されている塩基配列（配列番号５）からなるポリヌクレオチド等があげられる。また、SlTOM1b遺伝子がコードするタンパク質は、例えば、Solycにおいて、アクセッション番号：Solyc01g105270で登録されているアミノ酸配列（配列番号６）からなるポリペプチド、Genbankにアクセッション番号：AB193043で登録されている塩基配列（配列番号６）からなるポリヌクレオチド等があげられる。
【００４５】
SlTOM1b遺伝子のｃＤＮＡの塩基配列（配列番号４、Solyc01g105270）
5'-TACATTTGTCCTCCTTCCCCCTTCATCCACGTGTGGTTCCTCCAAACCCTCCACCCCACTCTTCACTCTATTTGATTTGAACGAACATCCCCATCACTTCACTCTCTACATTTTTCTTCATCTGTAAATCACCATTTTTGTTAGACGTAGTAGCTATGGTAAAATCTATAAGCTTTCTTCTTGAATTCGCAAAAGATTACGATGATGGAACACCACGAGTTCGCCCCATCTTTGATTGGTTCAATGCGATGATGGAGGTCTCCGATTATGAGAAACAAGCCATCTTTTATTCTCTCTCTGCCGCCTATGCCTTAGTCTCATTTGTTGCACTGGTACAACTCATCCGCATCCAATTGCGCCTTTCAGGAATTGGTTGGACAACACAAAAGGTTTTTCACTTGATGAATTTTGTTGTCTGTGGATTGAGAGCAATATTATTTGGGTTCTACAGCAGCGTGTTCAATCTTAGATCAAAAGCACTTGAGATGATGCTTCTGGATCTCCCCGGTCTTCTATTCTTCTCCACATACACACTATTAGTTCTGTTTTGGGCTGAAATATTCCATCAGGCAAGAAACCTTCCAATCGATAAACTTCGACCTGCATATTATGCAGTTAATGCAGTCGTATATTTTATACAGATATGCATATGGATCTTCATCGGTGTTGGCCCAGCTTCGGCTGCTGTTGAAACTGCTAAACTTTTTTTCGCAGTTATTTCATTTACTGCTGCTCTGGGATTTGTTATGTATGGTGGAAGGTTGTTCGCTATGCTTCGGCGCTTCCCTATTGAATCTAGAGGCCGTCAAAAGAAGCTTCATGAGGTTGGTTTCGTGACTGGTATTTGCTGCATTTGTTTCATGATCAGATGTGTTATGGTTGCTGTTTCTGCTTTTAACGGGAACGCTGATGTTGATGTCATTGACCATCCAGTTCTCATTCTCTTCTATTACGTGGTGGTGGAGATCTTGCCTTCTGTTTTGGTGCTTTTTATTCTGCGCAAATTACCTCCAAAACGTGTATCAGAGCAATATCATCCTATCCAATAACTCATAGAAGAGCATCCCTGATTTTAGTACTTCACCGTTTTTGTTCAAAGAAGCCCTTGTCATGCCAGCCAAGTTTTTAGTTCTTATAATATCATTTTTGCTTTTATTGTTTTGGCGCTTGTCTCGAGTGACGTGGAGGAGTTATAGTTTGATTTCAGTACAGCTCTGTAGAAGTCTTGAATTATAAATTATTCAAAGTGCATGTGACTTGTAATCATTTGGATAGAATTAGATGTTCGAAGTTTAAAGGCCTTGGG-3'
【００４６】
SlTOM1b遺伝子のｃＤＮＡの塩基配列（配列番号５、AB193042）
5'-GACATTTGTCCTCCTTCCCCCCTCATCCACGTGTGGTTCCTCCAAACCCTCCACCCCACTCTTCACTCTATTTGATTTGAACGAACATCCCCATCACTTCACTCTCTACATTTTTCTTCATCTGTAAATCACCATTTTTGTTAGACGTAGTAGCTATGGTAAAATCTATAAGCTTTCTTCTTGAATTCGCAAAAGATTACGATGATGGAACACCACGAGTTCGCCCCATCTTTGATTGGTTCAATGCGATGATGGAGGTCTCCGATTATGAGAAACAAGCCATCTTTTATTCTCTCTCTGCCGCCTATGCCTTAGTCTCATTTGTTGCACTGGTACAACTCATCCGCATCCAATTGCGCCTTTCAGGAATTGGTTGGACAACACAAAAGGTTTTTCACTTGATGAATTTTGTTGTCTGTGGATTGAGAGCAATATTATTTGGGTTCTACAGCAGCGTGTTCAATCTTAGATCAAAAGCACTTGAGATGATGCTTCTGGATCTCCCCGGTCTTCTATTCTTCTCCACATACACACTATTAGTTCTGTTTTGGGCTGAAATATTCCATCAGGCAAGAAACCTTCCAATCGATAAACTTCGACCTGCATATTATGCAGTCAATGCAGTCGTATATTTTATACAGATATGCATATGGATCTTCATCGGTGTTGGCCCAGCTTCGGCTGCTGTTGAAACTGCTAAACTTTTTTTCGCAGTTATTTCATTTACTGCTGCTCTGGGATTTGTTATGTATGGTGGAAGGTTGTTCGCTATGCTTCGGCGCTTCCCTATTGAATCTAGAGGCCGTCAAAAGAAGCTTCATGAGGTTGGTTTCGTGACTGGTATTTGCTGCATTTGTTTCATGATCAGATGTGTTATGGTTGCTGTTTCTGCTTTTAACGGGAACGCTGATGTTGATGTCATTGACCATCCAGTTCTCATTCTCTTCTATTACGTGGTGGTGGAGATCTTGCCTTCTGTTTTGGTGCTTTTTATTCTGCGCAAATTACCTCCAAAACGTGTATCAGAGCAATATCATCCTATCCAATAACTCATAGAAGAGCATCCCTGATTTTAGTACTTCACCGTTTTTGTTCAAAGAAGCCCTTGTCATGCCAGCCAAGTTTTTAGTTCTTATAATATCATTTTTGCTTTTATTGTCTTGACGCTTGTCTCGAGTGACGTGGAGGAGTTATAGTTTGATTTCAGTACAGCTCTGTAGAAGTCTTGAATTATAAATTATTCAAAGTGCATGTGACTTGTAATCATTTGGATAGAATTAGATGTTCGAAGTTTAAAGGCCTTGGGTTATATTGTG-3'
【００４７】
SlTOM1b遺伝子がコードするタンパク質（配列番号６、Solyc01g105270、AB193042）
MVKSISFLLEFAKDYDDGTPRVRPIFDWFNAMMEVSDYEKQAIFYSLSAAYALVSFVALVQLIRIQLRLSGIGWTTQKVFHLMNFVVCGLRAILFGFYSSVFNLRSKALEMMLLDLPGLLFFSTYTLLVLFWAEIFHQARNLPIDKLRPAYYAVNAVVYFIQICIWIFIGVGPASAAVETAKLFFAVISFTAALGFVMYGGRLFAMLRRFPIESRGRQKKLHEVGFVTGICCICFMIRCVMVAVSAFNGNADVDVIDHPVLILFYYVVVEILPSVLVLFILRKLPPKRVSEQYHPIQ
【００４８】
具体例として、前記SlTOM1b遺伝子は、例えば、下記（ＮＢ）のポリヌクレオチドを含むトバモウイルス抵抗性制御遺伝子である。
（ＮＢ）下記（ＮＢ１）〜（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＢ３）前記（ＮＢ１）の塩基配列に対して、８０％以上の同一性を有する塩基配列からなり、トバモウイルス抵抗性制御活性を有するタンパク質をコードするポリヌクレオチド；
（ＮＢ４）前記（ＮＢ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＢ７）配列番号６のアミノ酸配列に対して、８０％以上の同一性を有するアミノ酸配列からなり、トバモウイルス抵抗性制御活性を有するタンパク質をコードするポリヌクレオチド。
【００４９】
前記（ＮＢ２）〜（ＮＢ４）および（ＮＢ６）〜（ＮＢ７）のポリヌクレオチドにおいて、「トバモウイルス抵抗性制御活性を有する」は、例えば、前記（ＮＢ１）または（ＮＢ５）と同等（有意差がない）のトバモウイルス抵抗性制御活性を有することを意味する。
【００５０】
前記（ＮＢ１）において、配列番号４の塩基配列は、（ＮＢ５）のコード配列である。配列番号４の塩基配列は、例えば、S. lycopersicumのHeinz 1706から得ることができる。また、前記（ＮＢ１）において、配列番号５の塩基配列は、（ＮＢ５）のコード配列である。配列番号５の塩基配列は、例えば、S. lycopersicumのcv. Craigella GCR26から得ることができる。
【００５１】
前記（ＮＢ２）において、「１もしくは数個」は、例えば、前記（ＮＢ２）のポリヌクレオチドによってコードされるタンパク質が、前記トバモウイルス抵抗性制御活性を有する範囲であればよい。前記（ＮＢ２）の「１もしくは数個」は、前記（ＮＢ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【００５２】
前記（ＮＢ３）において、「同一性」は、例えば、前記（ＮＢ３）のポリヌクレオチドによってコードされるタンパク質が、前記トバモウイルス抵抗性制御活性を有する範囲であればよい。前記（ＮＢ３）の同一性は、前記（ＮＢ１）の塩基配列に対して、例えば、８０％以上、８５％以上、９０％以上、９５％以上、９６％以上、９７％以上、９８％以上、９９％以上である。
【００５３】
前記（ＮＢ４）において、「ハイブリダイズするポリヌクレオチド」は、例えば、前記（ＮＢ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＮＢ４）において、「ストリンジェントな条件」は、例えば、前述の説明を援用できる。
【００５４】
前記（ＮＢ５）のポリヌクレオチドは、例えば、前記（ＮＢ５）のポリヌクレオチドによってコードされるタンパク質が、前記トバモウイルス抵抗性制御活性を有する塩基配列であればよい。前記（ＮＢ５）のポリヌクレオチドの塩基配列は、例えば、前記配列番号６のアミノ酸配列に基づいて、対応するコドンに置き換えることで設計可能である。
【００５５】
前記（ＮＢ６）において、アミノ酸配列に関する「１もしくは数個」は、例えば、前記（ＮＢ６）のポリヌクレオチドによってコードされるタンパク質が、前記トバモウイルス抵抗性制御活性を有する範囲であればよい。前記（ＮＢ６）の「１もしくは数個」は、例えば、前記配列番号６のアミノ酸配列において、例えば、１〜５９個、１〜４４個、１〜３０個、１〜１５個、１〜１１個、１〜８個、１〜６個、１〜３個、１または２個、１個である。
【００５６】
前記（ＮＢ７）において、アミノ酸配列に関する「同一性」は、例えば、前記（ＮＢ７）のポリヌクレオチドによってコードされるタンパク質が、前記トバモウイルス抵抗性制御活性を有する範囲であればよい。前記（ＮＢ７）の同一性は、前記配列番号６のアミノ酸配列に対して、例えば、８０％以上、８５％以上、９０％以上、９５％以上、９６％以上、９７％以上、９８％以上、９９％以上である。
【００５７】
SlTOM1c遺伝子は、LeTH3ということもできる。SlTOM1c遺伝子は、例えば、Solycにおいてアクセッション番号：Solyc02g080370で登録されている塩基配列（配列番号７）からなるポリヌクレオチド、Genbankにアクセッション番号：AB193043で登録されている塩基配列（配列番号８）からなるポリヌクレオチド等があげられる。また、SlTOM1c遺伝子がコードするタンパク質は、例えば、Solycにおいて、アクセッション番号：Solyc02g080370で登録されているアミノ酸配列（配列番号９）からなるポリペプチド、Genbankにアクセッション番号：AB193043で登録されている塩基配列（配列番号９）からなるポリヌクレオチド等があげられる。
【００５８】
SlTOM1c遺伝子のｃＤＮＡの塩基配列（配列番号７、Solyc02g080370）
5'-TGCTAATGAACTTGAATACTTACAGTTATCTTAATTGTTTGTATTAGGAAGCATCAGTTTTTTGACTTCTTTCAATACAACAAGATAAGCGGAGGGGAGAGCTGAAATGGCTAGGTTGCCACTTGGGTCGTCGCCGATTGACATCGCCGGTCCGGTGACCAACTGGTGGGACCACGTCAACGAATCCGTTCAGTGGCAAGATGGGATTTTCTACTCCCTTTGTGCTTCCTATGGTCTTGTTTCAGCAGTTGCCCTAATTCAATTAATACGAATTGATTTGAGGGTACCCGAGTATGGCTGGACAACACAAAAGGTGTTCCATCTGATGAACTTTGTTGTAAATGGAGTTCGTGCAATTGTCTTTGGATTTCACAAACATGTTTTTCTGCTCCATTATAAGGTGCTGACTCTGGCAATATTGGACCTACCAGGGCTCCTTTTCTTTTCAACATTCACACTCCTTGTTCTATTTTGGGCTGAGATATATCACCAGGCTAGGAGTTTACCAACAGATAAGCTCAGGATTTCTTATATTGCCATTAATGATGCCATATACTTCATTCAGGCCTGTATCTGGGTTTACCTCTGGATCAATGACAATAGCACAGTGGAATTCATTGGGAAGATATTTATGGCAGTTGTATCAGTTATTGCAGCCTTGGGCTTTCTGCTATATGGTGGAAGGTTATTTCTCATGCTGCGGCGCTTCCCTATTGAATCTAAAGGGAGGAGAAAGAAGCTTCATGAGGTTGGATCGGTGACTGCCATATGTTTCACCTGTTTCCTCATTAGATGCTTTGTGGTTGTGTTATCTGCTTTTGATTCTGACGCATCTCTTGACGTCTTGGATCATCCTGTTTTGAATCTGATATACTACCTGCTGGTAGAAATTCTTCCTTCAGCTCTTGTGCTGTACATCCTGCGAAAACTGCCTCCAAAAAGAGTGTCTGCACAATACCACCCAATCAGTTAGCTGCAGCAGAATTTTATCGTTAGTGATACACGTTCCCATGGTTTCTGTTGCAGAAGCTAACTGGAGTTGTTCAGGAAAAGTGAAACTGCAAAAGGATATTCGGTTGCAATAATTCTGCGGAAAGGCAAAGATTCAACGCTTTTTTGGCAGTTGTTAAAACAGAGGTTAAGCTGTTTTGCTTACATTATATTGTTTCTGTGGTTTTAGTGTGAAGCATGAGACAAATAAGTGTTCCCCACGTCTGTGAAAAATCCTAGTCATGATGTAATGACGCAGAGGGTAAATCTCAGTATCGCCATTGTACTGGCATGTTGTAACTATGATGTTCTGGATCTCCTTTACTGCAATGACTGATGTCCTTTGTTTGGTCA-3'
【００５９】
SlTOM1c遺伝子のｃＤＮＡの塩基配列（配列番号８、AB193043）
5'-ACAACAAGATAAGCGGAGGGGAGAGCTGAAATGGCTAGGTTGCCACTTGGGTCGTCGCCGATTGACATCGCCGGTCCGGTGACCAACTGGTGGGACCACGTCAACGAATCCGTTCAGTGGCAAGATGGGATTTTCTACTCCCTTTGTGCTTCCTATGGTCTTGTTTCAGCAGTTGCCCTAATTCAATTAATACGAATTGATTTGAGGGTACCCGAGTATGGCTGGACAACACAAAAGGTGTTCCATCTGATGAACTTTGTTGTAAATGGAGTTCGTGCAATTGTCTTTGGATTTCACAAACATGTTTTTCTGCTCCATTATAAGGTGCTGACTCTGGCAATATTGGACCTACCAGGGCTCCTTTTCTTTTCAACATTCACACTCCTTGTTCTATTTTGGGCTGAGATATATCACCAGGCTAGGAGTTTACCAACAGATAAGCTCAGGATTTCTTATATTGCCATTAATGATGCCATATACTTCATTCAGGCCTGTATCTGGGTTTACCTCTGGATCAATGACAATAGCACAGTGGAATTCATTGGGAAGATATTTATGGCAGTTGTATCAGTTATTGCAGCCTTGGGCTTTCTGCTATATGGTGGAAGGTTATTTCTCATGCTGCGGCGCTTCCCTATTGAATCTAAAGGGAGGAGAAAGAAGCTTCATGAGGTTGGATCGGTGACTGCCATATGTTTCACCTGTTTCCTCATTAGATGCTTTGTGGTTGTGTTATCTGCTTTTGATTCTGACGCATCTCTTGACGTCTTGGATCATCCTGTTTTGAATCTGATATACTACCTGCTGGTAGAAATTCTTCCTTCAGCTCTTGTGCTGTACATCCTGCGAAAACTGCCTCCAAAAAGAGTGTCTGCACAATACCACCCAATCAGTTAGCTGCAGCAGAATTTTATCGTTAGTGATACACGTTCCCATGGTTTCTGTTGCAGAAGCTAACTGGAGTTGTTCAGGAAAAGTGAAACTGCAAAAGGATATTCGGTTGCAATAATTCTGCGGAAAGGCAAAGATTCAACGCTTTTTTGGCAGTTGTTAAAACAGAGGTTAAGCTGTTTTGCTTACATTATATTGTTTCTGTGGTTTTAGTGTGAAGCATGAGACAAATAAGTGTTCCCCACGTCTGTGAAAAATCCTAGTCATGATGTAATGACGCAGAGGGTAAATCTCAGTATCGCCATTGTACTGGCATGTTGTAACTATGATGTTCTGGATCTCCTTTACTGCAATGACTGATGTCCTTTGTTTGGTCAAAAAAAAAAA-3'
【００６０】
SlTOM1c遺伝子がコードするタンパク質（配列番号９、Solyc02g080370、AB193043）
MARLPLGSSPIDIAGPVTNWWDHVNESVQWQDGIFYSLCASYGLVSAVALIQLIRIDLRVPEYGWTTQKVFHLMNFVVNGVRAIVFGFHKHVFLLHYKVLTLAILDLPGLLFFSTFTLLVLFWAEIYHQARSLPTDKLRISYIAINDAIYFIQACIWVYLWINDNSTVEFIGKIFMAVVSVIAALGFLLYGGRLFLMLRRFPIESKGRRKKLHEVGSVTAICFTCFLIRCFVVVLSAFDSDASLDVLDHPVLNLIYYLLVEILPSALVLYILRKLPPKRVSAQYHPIS
【００６１】
具体例として、前記SlTOM1c遺伝子は、例えば、下記（ＮＣ）のポリヌクレオチドを含むトバモウイルス抵抗性制御遺伝子である。
（ＮＣ）下記（ＮＣ１）〜（ＮＣ７）のいずれかのポリヌクレオチド；
（ＮＣ１）配列番号７および８のいずれかの塩基配列からなるポリヌクレオチド；
（ＮＣ２）前記（ＮＣ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＣ３）前記（ＮＣ１）の塩基配列に対して、８０％以上の同一性を有する塩基配列からなり、トバモウイルス抵抗性制御活性を有するタンパク質をコードするポリヌクレオチド；
（ＮＣ４）前記（ＮＣ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＣ７）配列番号９のアミノ酸配列に対して、８０％以上の同一性を有するアミノ酸配列からなり、トバモウイルス抵抗性制御活性を有するタンパク質をコードするポリヌクレオチド。
【００６２】
前記（ＮＣ２）〜（ＮＣ４）および（ＮＣ６）〜（ＮＣ７）のポリヌクレオチドにおいて、「トバモウイルス抵抗性制御活性を有する」は、例えば、前記（ＮＣ１）または（ＮＣ５）と同等（有意差がない）のトバモウイルス抵抗性制御活性を有することを意味する。
【００６３】
前記（ＮＣ１）において、配列番号７の塩基配列は、（ＮＣ５）のコード配列である。配列番号７の塩基配列は、例えば、S. lycopersicumのHeinz 1706から得ることができる。また、前記（ＮＣ１）において、配列番号８の塩基配列は、（ＮＣ５）のコード配列である。配列番号８の塩基配列は、例えば、S. lycopersicumのcv. Craigella GCR26から得ることができる。
【００６４】
前記（ＮＣ２）において、「１もしくは数個」は、例えば、前記（ＮＣ２）のポリヌクレオチドによってコードされるタンパク質が、前記トバモウイルス抵抗性制御活性を有する範囲であればよい。前記（ＮＣ２）の「１もしくは数個」は、前記（ＮＣ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【００６５】
前記（ＮＣ３）において、「同一性」は、例えば、前記（ＮＣ３）のポリヌクレオチドによってコードされるタンパク質が、前記トバモウイルス抵抗性制御活性を有する範囲であればよい。前記（ＮＣ３）の同一性は、前記（ＮＣ１）の塩基配列に対して、例えば、８０％以上、８５％以上、９０％以上、９５％以上、９６％以上、９７％以上、９８％以上、９９％以上である。
【００６６】
前記（ＮＣ４）において、「ハイブリダイズするポリヌクレオチド」は、例えば、前記（ＮＣ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＮＣ４）において、「ストリンジェントな条件」は、例えば、前述の説明を援用できる。
【００６７】
前記（ＮＣ５）のポリヌクレオチドは、例えば、前記（ＮＣ５）のポリヌクレオチドによってコードされるタンパク質が、前記トバモウイルス抵抗性制御活性を有する塩基配列であればよい。前記（ＮＣ５）のポリヌクレオチドの塩基配列は、例えば、前記配列番号９のアミノ酸配列に基づいて、対応するコドンに置き換えることで設計可能である。
【００６８】
前記（ＮＣ６）において、アミノ酸配列に関する「１もしくは数個」は、例えば、前記（ＮＣ６）のポリヌクレオチドによってコードされるタンパク質が、前記トバモウイルス抵抗性制御活性を有する範囲であればよい。前記（ＮＣ６）の「１もしくは数個」は、例えば、前記配列番号９のアミノ酸配列において、例えば、１〜５９個、１〜４４個、１〜３０個、１〜１５個、１〜１１個、１〜８個、１〜６個、１〜３個、１または２個、１個である。
【００６９】
前記（ＮＣ７）において、アミノ酸配列に関する「同一性」は、例えば、前記（ＮＣ７）のポリヌクレオチドによってコードされるタンパク質が、前記トバモウイルス抵抗性制御活性を有する範囲であればよい。前記（ＮＣ７）の同一性は、前記配列番号９のアミノ酸配列に対して、例えば、８０％以上、８５％以上、９０％以上、９５％以上、９６％以上、９７％以上、９８％以上、９９％以上である。
【００７０】
SlTOM1d遺伝子は、例えば、Solycにおいてアクセッション番号：Solyc01g007900で登録されている塩基配列（配列番号１０）からなるポリヌクレオチド等があげられる。また、SlTOM1d遺伝子がコードするタンパク質は、例えば、Solycにおいて、アクセッション番号：Solyc01g007900で登録されているアミノ酸配列（配列番号１１）からなるポリペプチド等があげられる。
【００７１】
SlTOM1d遺伝子のｃＤＮＡの塩基配列（配列番号１０、Solyc01g007900）
5'-CTGAAAAAGGTAGTTGCCGATTTTGGTGTTTGATTTTTTTTTGGGGGGATTTTGAAATTGGTGAGTTTGATTTTGGAATCTCCGGTGATGGGACGGGCGGAGATGGTTGTAGGCCCGTCGGAGAAGGTGGCGGTGGTGGCATATCATCTGAATGATGCAATCAATTGGTGGGACGATGTGAACAGATCTCTTGATTGGCAAAACCGTATATTCCATGTCCTTGCTGTTCTCTACGGCGTTGTCGCCGTCGTTGCTCTTGTACAATTAATTCGCATTCAAATGAGAGTTCCTGAATATGGCTGGACCACTCAAAAAGTCTTCCACTTTCTCAATTTCTTTGTGAATGGAGTTCGCTCGCTAGTTTTTACATTTCGTCGGGATGTTCAGAAGTTGCACCCGGAGATTGTGCAACATATTATGCTTGATATGCCAAGTCTTGCATTCTTCACAACTTATGCTCTGCTAGTATTATTCTGGGCTGAGATATACTACCAGGCACGTGCTGTGTCCACGGATGGGCTTAGACCTAGTTTCTTCACAATCAACGGAGTGGTTTATGCTATTCAGATTATATTATGGCTGATAATGTGGTGGAAACCTATTCGAGTACTCTTCATCTTATCCAAGATGTTTTTTGCAGGTGTATCCCTATTTGCAGCATTGGGATTTCTCCTCTACGGTGGAAGGCTTTTTCTTATGTTACAGCGGTTTCCAGTAGAATCAAGAGGGAGACGCAAGAAGCTGCAGGAGGTTGGTTATGTCACGACAATATGTTTTTCATGCTTCCTCATTAGATGCGTTATGATGTGCTTCAATGCATTTGATAAAGCTGCAGATCTTGATGTTTTGTATCATCCTATTTTGAATTTGATATATTACCTGTTAGTGGAGATACTGCCTTCTTCTCTTGTCCTTTTTATTTTAAGGAAGTTGCCTCCAAAGCGAGGGATCACACAATACCACCCTATTCACTAATACATTAAGAGGGTAGATAATGATGAAAATCAGGCTCCGGGATCAGGTATTAAGTAAGTTGGCTTTTACCTGGATGTGATTTGCAAGCAAGAAATACGAGAGGAGTGATAATGTAAATTGAAGTATGGTTCGTCTATACTGAAATATCCGTCTGTCCTCACACTAGGCAGATTGTAGCTCTGTTTTGTACCACTAGTTATAGATGGAATTGTGAAGTATCTTACGACCTTTAGTGTATTATTTCGCCTTTGTATGTGTCAGATTTCAATTGAATTC-3'
【００７２】
SlTOM1d遺伝子がコードするタンパク質（配列番号１１、Solyc01g007900）
MGRAEMVVGPSEKVAVVAYHLNDAINWWDDVNRSLDWQNRIFHVLAVLYGVVAVVALVQLIRIQMRVPEYGWTTQKVFHFLNFFVNGVRSLVFTFRRDVQKLHPEIVQHIMLDMPSLAFFTTYALLVLFWAEIYYQARAVSTDGLRPSFFTINGVVYAIQIILWLIMWWKPIRVLFILSKMFFAGVSLFAALGFLLYGGRLFLMLQRFPVESRGRRKKLQEVGYVTTICFSCFLIRCVMMCFNAFDKAADLDVLYHPILNLIYYLLVEILPSSLVLFILRKLPPKRGITQYHPIH
【００７３】
具体例として、前記SlTOM1d遺伝子は、例えば、下記（ＮＤ）のポリヌクレオチドを含むトバモウイルス抵抗性制御遺伝子である。
（ＮＤ）下記（ＮＤ１）〜（ＮＤ７）のいずれかのポリヌクレオチド；
（ＮＤ１）配列番号１０の塩基配列からなるポリヌクレオチド；
（ＮＤ２）前記（ＮＤ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＤ３）前記（ＮＤ１）の塩基配列に対して、８０％以上の同一性を有する塩基配列からなり、トバモウイルス抵抗性制御活性を有するタンパク質をコードするポリヌクレオチド；
（ＮＤ４）前記（ＮＤ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＤ７）配列番号１１のアミノ酸配列に対して、８０％以上の同一性を有するアミノ酸配列からなり、トバモウイルス抵抗性制御活性を有するタンパク質をコードするポリヌクレオチド。
【００７４】
前記（ＮＤ２）〜（ＮＤ４）および（ＮＤ６）〜（ＮＤ７）のポリヌクレオチドにおいて、「トバモウイルス抵抗性制御活性を有する」は、例えば、前記（ＮＤ１）または（ＮＤ５）と同等（有意差がない）のトバモウイルス抵抗性制御活性を有することを意味する。
【００７５】
前記（ＮＤ１）において、配列番号１０の塩基配列は、（ＮＤ５）のコード配列である。配列番号１０の塩基配列は、例えば、S. lycopersicumのHeinz 1706から得ることができる。
【００７６】
前記（ＮＤ２）において、「１もしくは数個」は、例えば、前記（ＮＤ２）のポリヌクレオチドによってコードされるタンパク質が、前記トバモウイルス抵抗性制御活性を有する範囲であればよい。前記（ＮＤ２）の「１もしくは数個」は、前記（ＮＤ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【００７７】
前記（ＮＤ３）において、「同一性」は、例えば、前記（ＮＤ３）のポリヌクレオチドによってコードされるタンパク質が、前記トバモウイルス抵抗性制御活性を有する範囲であればよい。前記（ＮＤ３）の同一性は、前記（ＮＤ１）の塩基配列に対して、例えば、８０％以上、８５％以上、９０％以上、９５％以上、９６％以上、９７％以上、９８％以上、９９％以上である。
【００７８】
前記（ＮＤ４）において、「ハイブリダイズするポリヌクレオチド」は、例えば、前記（ＮＤ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＮＤ４）において、「ストリンジェントな条件」は、例えば、前述の説明を援用できる。
【００７９】
前記（ＮＤ５）のポリヌクレオチドは、例えば、前記（ＮＤ５）のポリヌクレオチドによってコードされるタンパク質が、前記トバモウイルス抵抗性制御活性を有する塩基配列であればよい。前記（ＮＤ５）のポリヌクレオチドの塩基配列は、例えば、前記配列番号１１のアミノ酸配列に基づいて、対応するコドンに置き換えることで設計可能である。
【００８０】
前記（ＮＤ６）において、アミノ酸配列に関する「１もしくは数個」は、例えば、前記（ＮＤ６）のポリヌクレオチドによってコードされるタンパク質が、前記トバモウイルス抵抗性制御活性を有する範囲であればよい。前記（ＮＤ６）の「１もしくは数個」は、例えば、前記配列番号１１のアミノ酸配列において、例えば、１〜５９個、１〜４４個、１〜３０個、１〜１５個、１〜１１個、１〜８個、１〜６個、１〜３個、１または２個、１個である。
【００８１】
前記（ＮＤ７）において、アミノ酸配列に関する「同一性」は、例えば、前記（ＮＤ７）のポリヌクレオチドによってコードされるタンパク質が、前記トバモウイルス抵抗性制御活性を有する範囲であればよい。前記（ＮＤ７）の同一性は、前記配列番号１１のアミノ酸配列に対して、例えば、８０％以上、８５％以上、９０％以上、９５％以上、９６％以上、９７％以上、９８％以上、９９％以上である。
【００８２】
本発明において、「機能喪失」は、例えば、当該遺伝子の本来有する機能が（有意に）低下または失われた状態を意味する。すなわち、本発明において、「機能喪失変異」（loss of function mutation）は、当該遺伝子の本来有する機能が（有意に）減弱する変異、および完全な機能喪失が生じる変異のいずれの意味で用いてもよい。また、前記「完全な機能喪失が生じる変異」は、例えば、ヌル変異（null mutation）またはアモルフ（amorph）ということもできる。
【００８３】
前記SlTOM1遺伝子群における各遺伝子の機能喪失は、例えば、当該機能喪失遺伝子を有するトマト植物が、正常なSlTOM1a遺伝子、正常なSlTOM1b遺伝子、正常なSlTOM1c遺伝子、および正常なSlTOM1d遺伝子を有するトマト植物（以下、「野生型のトマト植物」ともいう）と比較して、トバモウイルス抵抗性を示す程度に、前記当該遺伝子の機能が（有意に）低下または失われた状態を意味する。前記遺伝子の機能喪失は、具体的には、例えば、当該遺伝子のｍＲＮＡもしくは当該遺伝子がコードするタンパク質の発現量が（有意に）低下している状態、または当該遺伝子のｍＲＮＡもしくは当該遺伝子がコードするタンパク質が完全に発現していない状態を意味してもよいし、機能的な当該遺伝子のｍＲＮＡもしくは当該遺伝子がコードするタンパク質の発現量が低下している状態または機能的な当該遺伝子のｍＲＮＡもしくは当該遺伝子がコードするタンパク質が完全に発現していない状態を意味してもよい。このため、本発明において、前記SlTOM1遺伝子群における各遺伝子の機能喪失は、各遺伝子に機能喪失変異を導入することにより、実施してもよいし、各遺伝子の発現を抑制するポリヌクレオチドを導入することにより、実施してもよい。前記「遺伝子の発現を抑制」は、遺伝子の転写の抑制でもよいし、タンパク質への翻訳の抑制でもよい。
【００８４】
本発明において、SlTOM1a遺伝子、SlTOM1c遺伝子、およびSlTOM1d遺伝子を機能喪失した抵抗性トマト植物は、例えば、SlTOM1a遺伝子の機能喪失遺伝子、SlTOM1c遺伝子の機能喪失遺伝子、およびSlTOM1d遺伝子の機能喪失遺伝子を有する。前記抵抗性トマト植物は、トバモウイルスに対する抵抗性がさらに向上することから、SlTOM1b遺伝子の機能喪失遺伝子を有してもよい。なお、本発明は、これに制限されず、本発明の抵抗性トマト植物は、例えば、SlTOM1a遺伝子の機能喪失遺伝子、SlTOM1b遺伝子の機能喪失遺伝子、SlTOM1c遺伝子の機能喪失遺伝子、およびSlTOM1d遺伝子の機能喪失遺伝子からなる群から選択された少なくとも１つの機能喪失遺伝子を有してもよい。すなわち、本発明の抵抗性トマト植物は、例えば、SlTOM1a遺伝子、SlTOM1b遺伝子、SlTOM1c遺伝子、およびSlTOM1d遺伝子からなる群から選択された少なくとも１つの遺伝子を機能喪失していればよい。また、本発明の抵抗性トマト植物は、SlTOM1d遺伝子の機能喪失遺伝子と、SlTOM1a遺伝子の機能喪失遺伝子、SlTOM1b遺伝子の機能喪失遺伝子、およびSlTOM1c遺伝子の機能喪失遺伝子からなる群から選択された少なくとも１つの機能喪失遺伝子とを有してもよい。
【００８５】
前記SlTOM1遺伝子群における各遺伝子の機能喪失は、例えば、SlTOM1a遺伝子、SlTOM1b遺伝子、SlTOM1c遺伝子、および／またはSlTOM1d遺伝子に対し、突然変異、より具体的には、機能喪失変異を導入することにより、引き起こすことができる。前記突然変異の種類は、特に制限されず、例えば、点突然変異、ミスセンス突然変異、ナンセンス突然変異、フレームシフト突然変異、広範囲における塩基の欠失（ラージデリーション）等があげられる。前記突然変異は、例えば、各遺伝子の一部または全部の欠失を生じさせてもよい。前記フレームシフト突然変異は、塩基の欠失または挿入が起こり、三つ組みの読み枠（コドン）がずれた時に生じる変異である。前記フレームシフト突然変異は、塩基対置換の変異と比較して、遺伝子機能に与える影響が非常に大きい。これは、前記フレームシフト突然変異が生じると、当該遺伝子において、前記フレームシフト突然変異が導入された箇所以降の遺伝暗号が大幅にずれ、アミノ酸が変わるだけでなく、終止コドン等もずれてしまうためである。
【００８６】
各遺伝子の機能喪失遺伝子は、例えば、前記SlTOM1遺伝子群における各遺伝子の正常遺伝子の塩基配列に対し、１もしくは数個の塩基（以下、「１塩基以上」ともいう）の挿入、欠失、および／または置換等の変異が導入された遺伝子である。具体例として、前記SlTOM1a遺伝子の機能喪失遺伝子は、例えば、SlTOM1a遺伝子の正常遺伝子の塩基配列に対し、１塩基以上の挿入、欠失、および／または置換等の変異が導入された遺伝子である。前記SlTOM1a遺伝子の機能喪失遺伝子において、１塩基以上は、例えば、前記（ＮＡ２）における塩基数の説明を援用できる。前記SlTOM1b遺伝子の機能喪失遺伝子は、例えば、SlTOM1b遺伝子の正常遺伝子の塩基配列に対し、１塩基以上の挿入、欠失、および／または置換等の変異が導入された遺伝子である。前記SlTOM1b遺伝子の機能喪失遺伝子において、１塩基以上は、例えば、前記（ＮＢ２）における塩基数の説明を援用できる。前記SlTOM1c遺伝子の機能喪失遺伝子は、例えば、SlTOM1c遺伝子の正常遺伝子の塩基配列に対し、１塩基以上の挿入、欠失、および／または置換等の変異が導入された遺伝子である。前記SlTOM1c遺伝子の機能喪失遺伝子において、１塩基以上は、例えば、前記（ＮＣ２）における塩基数の説明を援用できる。前記SlTOM1d遺伝子の機能喪失遺伝子は、例えば、SlTOM1d遺伝子の正常遺伝子の塩基配列に対し、１塩基以上の挿入、欠失、および／または置換等の変異が導入された遺伝子である。前記SlTOM1d遺伝子の機能喪失遺伝子において、１塩基以上は、例えば、前記（ＮＤ２）における塩基数の説明を援用できる。前記フレームシフト突然変異は、例えば、３ｍ＋１塩基または３ｍ＋２塩基（ｍは、０以上の整数）の挿入または欠失により、生じる。
【００８７】
本発明において、前記SlTOM1遺伝子群における各遺伝子への突然変異は、例えば、対象のトマト植物のゲノムにおける対象遺伝子に対し、常法により、変異を導入することにより引き起こすことができる。前記変異の導入方法は、例えば、相同組換え；ＺＦＮ、ＴＡＬＥＮ、ＣＲＩＳＰＲ−ＣＡＳ９、ＣＲＩＳＰＲ−ＣＰＦ１等を用いたゲノム編集技術：等により、実施できる。前記変異の導入方法は、例えば、部位特異的突然変異誘発法等の変異導入法により、実施してもよい。また、前記変異の導入方法は、例えば、ランダム突然変異誘発法により、実施してもよい。前記ランダム突然変異誘発法は、例えば、α線、β線、γ線、Ｘ線等の放射線照射処理；メタンスルホン酸エチル（ＥＭＳ）、エチニルニトロソウレア（ＥＮＵ）等の変異誘発剤による化学物質処理；重イオンビーム処理；等があげられる。前記ゲノム編集技術を用いた変異の導入方法は、例えば、後述の実施例１を参照できる。具体的には、前記ゲノム編集技術を用いた変異の導入は、例えば、ゲノム編集技術を構成するタンパク質および核酸、またはこれらをコードするベクターを導入することにより、実施できる。前記タンパク質は、例えば、ＣＲＩＳＰＲ（Clustered Regularly Interspaced Short Palindromic Repeats）酵素があげられ、具体例として、Ｃａｓ１、Ｃａｓ１Ｂ、Ｃａｓ２、Ｃａｓ３、Ｃａｓ４、Ｃａｓ５、Ｃａｓ６、Ｃａｓ７、Ｃａｓ８、Ｃａｓ９、Ｃａｓ１０、Ｃｓｙ１、Ｃｓｙ２、Ｃｓｙ３、Ｃｓｅ１、Ｃｓｅ２、Ｃｓｃ１、Ｃｓｃ２、Ｃｓａ５、Ｃｓｎ２、Ｃｓｍ２、Ｃｓｍ３、Ｃｓｍ４、Ｃｓｍ５、Ｃｓｍ６、Ｃｍｒ１、Ｃｍｒ３、Ｃｍｒ４、Ｃｍｒ５、Ｃｍｒ６、Ｃｓｂ１、Ｃｓｂ２、Ｃｓｂ３、Ｃｓｘ１７、Ｃｓｘ１４、Ｃｓｘ１０、Ｃｓｘ１６、ＣｓａＸ、Ｃｓｘ３、Ｃｓｘ１、Ｃｓｘ１５、Ｃｓｆ１、Ｃｓｆ２、Ｃｓｆ３、Ｃｓｆ４等があげられる。前記核酸は、例えば、ｃｒＲＮＡおよびｔｒａｃｒＲＮＡ、またはこれらがリンカーを介して連結された一本鎖核酸があげられる。この場合、前記核酸は、例えば、ｃｒＲＮＡにおける標的配列とアニールする塩基配列を、各遺伝子をコードする塩基配列と相補的な塩基配列に設計する。前記核酸は、１種類を単独で用いてもよいし、２種類以上を併用してもよい。前記変異の導入方法は、例えば、部位特異的突然変異誘発法等の変異導入法により、実施してもよい。
【００８８】
前記SlTOM1遺伝子群における各遺伝子の機能喪失遺伝子における変異の位置は、特に制限されず、前記各遺伝子に関連する任意の領域とすることができる。具体例として、前SlTOM1遺伝子群における各遺伝子の機能喪失遺伝子における変異の位置は、例えば、前記各遺伝子のプロモーター領域等の発現制御領域、前記各遺伝子がコードするタンパク質の膜貫通領域、リガンド結合領域等の各遺伝子がコードするタンパク質をコードするコーディング領域を含むエキソン領域、前記各遺伝子がコードするタンパク質をコードしない非コード領域（例えば、イントロン領域、エンハンサー領域等）等があげられ、好ましくは、エキソン領域である。
【００８９】
具体例として、前記SlTOM1遺伝子群における遺伝子がSlTOM1a遺伝子である場合、前記変異の位置は、配列番号１の塩基配列において、１〜５１４番目、好ましくは、１６７〜５１４番目の塩基または配列番号２の塩基配列において、１〜５０７番目、好ましくは、１６０〜５０７番目の塩基を含むことが好ましい。前記SlTOM1遺伝子群における遺伝子がSlTOM1b遺伝子である場合、前記変異の位置は、配列番号４の塩基配列において、１〜２２４番目、好ましくは、１５６〜２２４番目の塩基または配列番号５の塩基配列において、１〜２２４番目、好ましくは、１５６〜２２４番目の塩基を含むことが好ましい。前記SlTOM1遺伝子群における遺伝子がSlTOM1c遺伝子である場合、前記変異の位置は、配列番号７の塩基配列において、１〜１４９番目、好ましくは、１０７〜１４９の塩基または配列番号８の塩基配列において、１〜７３番目、好ましくは、３１〜７３番目の塩基を含むことが好ましい。前記SlTOM1遺伝子群における、遺伝子がSlTOM1d遺伝子である場合、前記変異の位置は、配列番号１０の塩基配列において、１〜４３７番目、８８〜４３７番目の塩基を含むことが好ましい。これらの変異の位置に導入される変異は、好ましくは、ナンセンス突然変異またはフレームシフト突然変異である。
【００９０】
また、SlTOM1a遺伝子の機能喪失遺伝子は、例えば、下記（ＭＡ）のポリヌクレオチドを含む遺伝子があげられる。
（ＭＡ）下記（ＭＡ１）〜（ＭＡ５）のいずれかのポリヌクレオチド；
（ＭＡ１）前記（ＮＡ１）の塩基配列において、１もしくは数個の塩基が欠失、置換、挿入および／または付加された塩基配列からなるポリヌクレオチド；
（ＭＡ２）前記（ＮＡ１）の塩基配列に対して、８０％以上の同一性を有する塩基配列からなるポリヌクレオチド；
（ＭＡ３）前記（ＮＡ１）の塩基配列からなるポリヌクレオチドに対してストリンジェントな条件下でハイブリダイズするポリヌクレオチドに、相補的な塩基配列からなるポリヌクレオチド；
（ＭＡ４）配列番号３のアミノ酸配列において、１もしくは数個のアミノ酸が欠失、置換、挿入および／または付加されたアミノ酸配列からなるタンパク質をコードするポリヌクレオチド；
（ＭＡ５）配列番号３のアミノ酸配列に対して、８０％以上の同一性を有するアミノ酸配列からなるタンパク質をコードするポリヌクレオチド。
【００９１】
前記（ＭＡ１）〜（ＭＡ５）のポリヌクレオチドは、トバモウイルス抵抗性制御活性を有さないタンパク質をコードするポリヌクレオチドであることが好ましい。
【００９２】
前記（ＭＡ１）〜（ＭＡ５）のポリヌクレオチドにおいて、「トバモウイルス抵抗性制御活性を有さない」は、例えば、前記（ＮＡ１）または（ＮＡ５）のポリヌクレオチドがコードするタンパク質と比較して、トバモウイルス抵抗性制御活性が有意に抑制されていることを意味し、好ましくは、トバモウイルス抵抗性制御活性が完全に喪失していることを意味する。
【００９３】
前記（ＭＡ１）の「１もしくは数個」は、前記（ＮＡ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【００９４】
前記（ＭＡ２）の同一性は、前記（ＮＡ１）の塩基配列に対して、例えば、８０％以上、８５％以上、９０％以上、９５％以上、９６％以上、９７％以上、９８％以上、９９％以上である。
【００９５】
前記（ＭＡ３）において、「ハイブリダイズするポリヌクレオチド」は、例えば、前記（ＮＡ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＭＡ３）において、「ストリンジェントな条件」は、例えば、前述の説明を援用できる。
【００９６】
前記（ＭＡ４）の「１もしくは数個」は、例えば、前記配列番号３のアミノ酸配列において、例えば、１〜５９個、１〜４４個、１〜３０個、１〜１５個、１〜１１個、１〜８個、１〜６個、１〜３個、１または２個、１個である。
【００９７】
前記（ＭＡ５）の同一性は、前記配列番号３のアミノ酸配列に対して、例えば、８０％以上、８５％以上、９０％以上、９５％以上、９６％以上、９７％以上、９８％以上、９９％以上である。
【００９８】
具体例として、前記SlTOM1b遺伝子の機能喪失遺伝子は、例えば、下記（ＭＢ）のポリヌクレオチドを含む遺伝子である。
（ＭＢ）下記（ＭＢ１）〜（ＭＢ５）のいずれかのポリヌクレオチド；
（ＭＢ１）前記（ＮＢ１）の塩基配列において、１もしくは数個の塩基が欠失、置換、挿入および／または付加された塩基配列からなるポリヌクレオチド；
（ＭＢ２）前記（ＮＢ１）の塩基配列に対して、８０％以上の同一性を有する塩基配列からなるポリヌクレオチド；
（ＭＢ３）前記（ＮＢ１）の塩基配列からなるポリヌクレオチドに対してストリンジェントな条件下でハイブリダイズするポリヌクレオチドに、相補的な塩基配列からなるポリヌクレオチド；
（ＭＢ４）配列番号６のアミノ酸配列において、１もしくは数個のアミノ酸が欠失、置換、挿入および／または付加されたアミノ酸配列からなるタンパク質をコードするポリヌクレオチド；
（ＭＢ５）配列番号６のアミノ酸配列に対して、８０％以上の同一性を有するアミノ酸配列からなるタンパク質をコードするポリヌクレオチド。
【００９９】
前記（ＭＢ１）〜（ＭＢ５）のポリヌクレオチドは、トバモウイルス抵抗性制御活性を有さないタンパク質をコードするポリヌクレオチドであることが好ましい。
【０１００】
前記（ＭＢ１）〜（ＭＢ５）のポリヌクレオチドにおいて、「トバモウイルス抵抗性制御活性を有さない」は、例えば、前記（ＮＢ１）または（ＮＢ５）のポリヌクレオチドがコードするタンパク質と比較して、トバモウイルス抵抗性制御活性が有意に抑制されていることを意味し、好ましくは、トバモウイルス抵抗性制御活性が完全に喪失していることを意味する。
【０１０１】
前記（ＭＢ１）の「１もしくは数個」は、前記（ＮＢ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【０１０２】
前記（ＭＢ２）の同一性は、前記（ＮＢ１）の塩基配列に対して、例えば、８０％以上、８５％以上、９０％以上、９５％以上、９６％以上、９７％以上、９８％以上、９９％以上である。
【０１０３】
前記（ＭＢ３）において、「ハイブリダイズするポリヌクレオチド」は、例えば、前記（ＮＢ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＭＢ３）において、「ストリンジェントな条件」は、例えば、前述の説明を援用できる。
【０１０４】
前記（ＭＢ４）の「１もしくは数個」は、例えば、前記配列番号６のアミノ酸配列において、例えば、１〜５９個、１〜４４個、１〜３０個、１〜１５個、１〜１１個、１〜８個、１〜６個、１〜３個、１または２個、１個である。
【０１０５】
前記（ＭＢ５）の同一性は、前記配列番号６のアミノ酸配列に対して、例えば、８０％以上、８５％以上、９０％以上、９５％以上、９６％以上、９７％以上、９８％以上、９９％以上である。
【０１０６】
具体例として、前記SlTOM1c遺伝子の機能喪失遺伝子は、例えば、下記（ＭＣ）のポリヌクレオチドである。
（ＭＣ）下記（ＭＣ１）〜（ＭＣ５）のいずれかのポリヌクレオチド；
（ＭＣ１）前記（ＮＣ１）の塩基配列において、１もしくは数個の塩基が欠失、置換、挿入および／または付加された塩基配列からなるポリヌクレオチド；
（ＭＣ２）前記（ＮＣ１）の塩基配列に対して、８０％以上の同一性を有する塩基配列からなるポリヌクレオチド；
（ＭＣ３）前記（ＮＣ１）の塩基配列からなるポリヌクレオチドに対してストリンジェントな条件下でハイブリダイズするポリヌクレオチドに、相補的な塩基配列からなるポリヌクレオチド；
（ＭＣ４）配列番号９のアミノ酸配列において、１もしくは数個のアミノ酸が欠失、置換、挿入および／または付加されたアミノ酸配列からなるタンパク質をコードするポリヌクレオチド；
（ＭＣ５）配列番号９のアミノ酸配列に対して、８０％以上の同一性を有するアミノ酸配列からなるタンパク質をコードするポリヌクレオチド。
【０１０７】
前記（ＭＣ１）〜（ＭＣ５）のポリヌクレオチドは、トバモウイルス抵抗性制御活性を有さないタンパク質をコードするポリヌクレオチドであることが好ましい。
【０１０８】
前記（ＭＣ１）〜（ＭＣ５）のポリヌクレオチドにおいて、「トバモウイルス抵抗性制御活性を有さない」は、例えば、前記（ＮＣ１）または（ＮＣ５）のポリヌクレオチドがコードするタンパク質と比較して、トバモウイルス抵抗性制御活性が有意に抑制されていることを意味し、好ましくは、トバモウイルス抵抗性制御活性が完全に喪失していることを意味する。
【０１０９】
前記（ＭＣ１）の「１もしくは数個」は、前記（ＮＣ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【０１１０】
前記（ＭＣ２）の同一性は、前記（ＮＣ１）の塩基配列に対して、例えば、８０％以上、８５％以上、９０％以上、９５％以上、９６％以上、９７％以上、９８％以上、９９％以上である。
【０１１１】
前記（ＭＣ３）において、「ハイブリダイズするポリヌクレオチド」は、例えば、前記（ＮＣ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＭＣ３）において、「ストリンジェントな条件」は、例えば、前述の説明を援用できる。
【０１１２】
前記（ＭＣ４）の「１もしくは数個」は、例えば、前記配列番号９のアミノ酸配列において、例えば、１〜５９個、１〜４４個、１〜３０個、１〜１５個、１〜１１個、１〜８個、１〜６個、１〜３個、１または２個、１個である。
【０１１３】
前記（ＭＣ５）の同一性は、前記配列番号９のアミノ酸配列に対して、例えば、８０％以上、８５％以上、９０％以上、９５％以上、９６％以上、９７％以上、９８％以上、９９％以上である。
【０１１４】
具体例として、前記SlTOM1d遺伝子の機能喪失遺伝子は、例えば、下記（ＭＤ）のポリヌクレオチドである。
（ＭＤ）下記（ＭＤ１）〜（ＭＤ５）のいずれかのポリヌクレオチド；
（ＭＤ１）前記（ＮＤ１）の塩基配列において、１もしくは数個の塩基が欠失、置換、挿入および／または付加された塩基配列からなるポリヌクレオチド；
（ＭＤ２）前記（ＮＤ１）の塩基配列に対して、８０％以上の同一性を有する塩基配列からなるポリヌクレオチド；
（ＭＤ３）前記（ＮＤ１）の塩基配列からなるポリヌクレオチドに対してストリンジェントな条件下でハイブリダイズするポリヌクレオチドに、相補的な塩基配列からなるポリヌクレオチド；
（ＭＤ４）配列番号１１のアミノ酸配列において、１もしくは数個のアミノ酸が欠失、置換、挿入および／または付加されたアミノ酸配列からなるタンパク質をコードするポリヌクレオチド；
（ＭＤ５）配列番号１１のアミノ酸配列に対して、８０％以上の同一性を有するアミノ酸配列からなるタンパク質をコードするポリヌクレオチド。
【０１１５】
前記（ＭＤ１）〜（ＭＤ５）のポリヌクレオチドは、トバモウイルス抵抗性制御活性を有さないタンパク質をコードするポリヌクレオチドであることが好ましい。
【０１１６】
前記（ＭＤ１）〜（ＭＤ５）のポリヌクレオチドにおいて、「トバモウイルス抵抗性制御活性を有さない」は、例えば、前記（ＮＤ１）または（ＮＤ５）のポリヌクレオチドがコードするタンパク質と比較して、トバモウイルス抵抗性制御活性が有意に抑制されていることを意味し、好ましくは、トバモウイルス抵抗性制御活性が完全に喪失していることを意味する。
【０１１７】
前記（ＭＤ１）の「１もしくは数個」は、前記（ＮＤ１）の塩基配列において、例えば、１〜２６４個、１〜１９８個、１〜１３２個、１〜６６個、１〜５２個、１〜３９個、１〜２６個、１〜１３個、１〜６個、１〜３個、１または２個、１個である。
【０１１８】
前記（ＭＤ２）の同一性は、前記（ＮＤ１）の塩基配列に対して、例えば、８０％以上、８５％以上、９０％以上、９５％以上、９６％以上、９７％以上、９８％以上、９９％以上である。
【０１１９】
前記（ＭＤ３）において、「ハイブリダイズするポリヌクレオチド」は、例えば、前記（ＮＤ１）のポリヌクレオチドに対して、完全または部分的に相補的なポリヌクレオチドである。前記ハイブリダイズは、例えば、各種ハイブリダイゼーションアッセイにより検出できる。前記ハイブリダイゼーションアッセイは、特に制限されず、例えば、ザンブルーク（Sambrook）ら編「モレキュラー・クローニング：ア・ラボラトリーマニュアル第２版（Molecular Cloning: A Laboratory Manual 2nd Ed.）」〔Cold Spring Harbor Laboratory Press (1989)〕等に記載されている方法を採用することもできる。前記（ＭＤ３）において、「ストリンジェントな条件」は、例えば、前述の説明を援用できる。
【０１２０】
前記（ＭＤ４）の「１もしくは数個」は、例えば、前記配列番号１１のアミノ酸配列において、例えば、１〜５９個、１〜４４個、１〜３０個、１〜１５個、１〜１１個、１〜８個、１〜６個、１〜３個、１または２個、１個である。
【０１２１】
前記（ＭＤ５）の同一性は、前記配列番号１１のアミノ酸配列に対して、例えば、８０％以上、８５％以上、９０％以上、９５％以上、９６％以上、９７％以上、９８％以上、９９％以上である。
【０１２２】
本発明において、各遺伝子の遺伝子型は、例えば、本発明の抵抗性トマト植物が、トバモウイルス抵抗性を示す範囲で任意の遺伝子型とできる。各遺伝子の遺伝子型は、例えば、正常遺伝子のホモ接合型でもよいし、正常遺伝子と機能喪失遺伝子とのヘテロ接合型でもよいし、機能喪失遺伝子のホモ接合型でもよい。すなわち、SlTOM1a遺伝子、SlTOM1b遺伝子、SlTOM1c遺伝子、およびSlTOM1d遺伝子は、例えば、本発明の抵抗性トマト植物が、トバモウイルス抵抗性を示す範囲でそれぞれ、正常遺伝子のホモ接合型でもよいし、正常遺伝子と機能喪失遺伝子とのヘテロ接合型でもよいし、機能喪失遺伝子のホモ接合型でもよい。
【０１２３】
各遺伝子の遺伝子型の組合せは、特に制限されず、例えば、下記の組合せが例示できる。
SlTOM1a遺伝子（正常遺伝子）：Ａ、SlTOM1a遺伝子の機能喪失遺伝子：a
SlTOM1b遺伝子（正常遺伝子）：Ｂ、SlTOM1b遺伝子の機能喪失遺伝子：b
SlTOM1c遺伝子（正常遺伝子）：Ｃ、SlTOM1c遺伝子の機能喪失遺伝子：c
SlTOM1d遺伝子（正常遺伝子）：Ｄ、SlTOM1d遺伝子の機能喪失遺伝子：d
（遺伝子型の組合せ）
aaBBccdd、aaBbccdd、aabbccdd、aabbccDd、aaBbccDd、aaBBccDd
（好ましい組合せ）
aaBBccdd、aaBbccdd、aabbccdd、aabbccDd
【０１２４】
本発明において、トバモウイルス抵抗性遺伝子の発現を抑制することで、各遺伝子の機能を喪失させる場合、各遺伝子の機能喪失は、例えば、各遺伝子の発現を抑制するポリヌクレオチドを対象のトマト植物に導入することにより実施できる。前記ポリヌクレオチドの導入方法は、特に制限されず、例えば、ＲＮＡ干渉、アンチセンスＲＮＡ、ゲノム編集技術等の方法により実施できる。前記ポリヌクレオチドを含む発現ベクター等の発現カセットは、例えば、ポリエチレングリコール法、電気穿孔法（エレクトロポレーション法）、アグロバクテリウムを介する方法、パーティクルガン法等により、対象のトマト植物に導入できる。前記対象のトマト植物は、例えば、植物細胞、カルス、植物組織、および植物個体のいずれでもよい。
【０１２５】
前記発現抑制の対象となる遺伝子は、例えば、SlTOM1a遺伝子、SlTOM1c遺伝子、およびSlTOM1d遺伝子である。前記発現抑制の対象となる遺伝子は、例えば、SlTOM1b遺伝子を含んでもよい。ただし、本発明はこれに限定されず、前記発現抑制の対象となる遺伝子は、例えば、SlTOM1a遺伝子、SlTOM1b遺伝子、SlTOM1c遺伝子、およびSlTOM1d遺伝子からなる群から選択された少なくとも１つでもよい。また、前記発現抑制の対象となる遺伝子は、例えば、SlTOM1d遺伝子と、SlTOM1a遺伝子、SlTOM1b遺伝子、およびSlTOM1c遺伝子からなる群から選択された少なくとも１つとでもよい。
【０１２６】
本発明の抵抗性トマト植物において、SlTOM1a遺伝子、SlTOM1c遺伝子、およびSlTOM1d遺伝子が、機能喪失されているが、本発明は、これに限定されず、SlTOM1a遺伝子、SlTOM1b遺伝子、SlTOM1c遺伝子、およびSlTOM1d遺伝子からなる群から選択された少なくとも１つが機能喪失されていてもよい。また、前記機能喪失している遺伝子は、例えば、SlTOM1d遺伝子と、SlTOM1a遺伝子、SlTOM1b遺伝子、およびSlTOM1c遺伝子からなる群から選択された少なくとも１つとでもよい。
【０１２７】
本発明の抵抗性トマト植物の製造方法については、後述の付与方法、第２の生産方法、スクリーニング方法、および第３の生産方法の説明を援用できる。
【０１２８】
＜第１の生産方法＞
本発明のトバモウイルス抵抗性トマト植物の生産方法は、前述のように、下記（ａ）工程を含む：
（ａ）本発明のトバモウイルス抵抗性トマト植物と、他のトマト植物とを交雑する工程。
【０１２９】
本発明の第１の生産方法は、前記（ａ）工程において、前記本発明の抵抗性トマト植物を用いることが特徴であり、その他の工程および条件は、特に制限されない。本発明の第１の生産方法によれば、トバモウイルス抵抗性を示すトマト植物を生産できる。本発明の第１の生産方法は、前記本発明のトマト植物の説明を援用できる。
【０１３０】
前記（ａ）工程において、第一の親として使用する植物は、前記本発明の抵抗性トマト植物であればよい。前述のように、前記本発明の抵抗性トマト植物は、例えば、後述の前記本発明の付与方法、第２の生産方法、スクリーニング方法、および第３の生産方法により得ることもできる。このため、前記本発明の第１の生産方法は、例えば、前記（ａ）工程に先立って、前記本発明の付与方法、第２の生産方法、スクリーニング方法、および第３の生産方法のいずれか１つ以上を実施してもよい。この場合、各方法の説明は、後述の各方法の説明を援用できる。
【０１３１】
具体例として、本発明の第１の生産方法は、下記（ｘ）工程または（ｙ）工程を含んでもよい。
（ｘ）被検トマト植物から本発明のトバモウイルス抵抗性トマト植物を選抜する工程（選抜工程）
（ｙ）対象のトマト植物から本発明のトバモウイルス抵抗性トマト植物を作出する工程（作出工程）
【０１３２】
前記（ｘ）工程において、前記トバモウイルス抵抗性トマト植物の選抜は、SlTOM1a遺伝子、SlTOM1c遺伝子、およびSlTOM1d遺伝子を機能喪失したトマト植物の選抜ということができる。このため、前記（ｘ）工程は、例えば、下記（ｘ１）工程および（ｘ２）工程により行うことができる。
（ｘ１）前記被検トマト植物のSlTOM1a遺伝子、SlTOM1c遺伝子、およびSlTOM1d遺伝子が機能喪失しているかを検出する検出工程
（ｘ２）前記SlTOM1a遺伝子、SlTOM1c遺伝子、およびSlTOM1d遺伝子が機能喪失している場合、前記被検トマト植物を、トバモウイルス抵抗性トマト植物として選抜する選抜工程
【０１３３】
前記（ｘ）工程が前記（ｘ１）工程および（ｘ２）工程を含む場合、前記（ｘ）工程は、例えば、各遺伝子の塩基配列を指標に実施してもよいし、各遺伝子の発現量を指標に実施してもよい。
【０１３４】
各遺伝子の塩基配列を指標とする場合、前記（ｘ１）工程において、前記各遺伝子の機能喪失の検出は、例えば、前記被検トマト植物の各遺伝子の塩基配列を解読し、対応する正常遺伝子の塩基配列と比較することにより、実施してもよい。前記塩基配列の解読は、例えば、シークエンサーを用いて実施できる。そして、前記（ｘ２）工程では、例えば、前記被検トマト植物の各遺伝子の塩基配列が、それぞれ、対応する正常遺伝子の塩基配列に対して、機能喪失変異が導入された塩基配列である場合、前記トバモウイルス抵抗性トマト植物として選抜する。前記選抜の条件については、後述する。前記正常遺伝子の塩基配列は、前述の各遺伝子の塩基配列を参照できる。前記塩基配列の比較は、例えば、塩基配列の解析ソフト（例えば、前述のＢＬＡＳＴ等）により実施できる。前記（ｘ２）工程において、塩基配列を比較する領域は、各遺伝子のイントロン領域でもよいし、各遺伝子のエキソン領域でもよいが、好ましくは、後者である。また、前記各遺伝子の機能喪失が、それぞれ、対応する正常遺伝子の塩基配列に対し、１塩基以上の挿入、欠失、および／または置換等の変異を導入することにより引き起こされる場合、前記（ｘ１）工程では、例えば、少なくとも１つの変異を検出可能なプライマーセット、プローブ、またはこれらの組合せを用いて、実施してもよい。前記プライマーセットおよびプローブは、例えば、前記変異の種類に基づき、公知の設計方法を用いて設計できる。
【０１３５】
前記（ｘ２）工程では、例えば、各遺伝子の正常遺伝子に対して、１塩基以上の挿入、欠失、および／または置換されている場合、前記遺伝子を機能喪失遺伝子と判断してもよい。また、前記（ｘ２）工程では、例えば、各遺伝子の正常遺伝子に対して、フレームシフト突然変異が導入されている場合、前記遺伝子を機能喪失遺伝子と判断してもよい。さらに、前記（ｘ２）工程では、例えば、各遺伝子の正常遺伝子が部分欠失または完全欠失している場合、前記遺伝子を機能喪失遺伝子と判断してもよい。
【０１３６】
前記（ｘ２）工程では、さらに、各遺伝子の遺伝子型に基づき、選抜してもよい。具体例として、前記（ｘ２）工程では、前記各遺伝子の遺伝子型が、前述の遺伝子型の組合せに該当する場合、前記トバモウイルス抵抗性トマト植物として選抜してもよい。具体例として、前記（ｘ２）工程では、例えば、SlTOM1a遺伝子、SlTOM1c遺伝子、およびSlTOM1d遺伝子について、機能喪失遺伝子をホモ接合型で有する場合、前記被検トマト植物を、トバモウイルス抵抗性トマト植物として選抜してもよい。また、前記（ｘ２）工程では、例えば、SlTOM1a遺伝子、SlTOM1b遺伝子、SlTOM1c遺伝子、およびSlTOM1d遺伝子について、機能喪失遺伝子をホモ接合型で有する場合、前記被検トマト植物を、トバモウイルス抵抗性トマト植物として選抜してもよい。
【０１３７】
各遺伝子の発現量を指標とする場合、前記（ｘ１）工程において、前記各遺伝子の機能喪失の検出は、例えば、前記被検トマト植物の各遺伝子のｍＲＮＡまたは各遺伝子がコードするタンパク質の機能を検出することにより実施してもよい。さらに、前記（ｘ１）工程において、前記各遺伝子の機能喪失の検出は、例えば、前記被検トマト植物における各遺伝子もしくは各遺伝子がコードするタンパク質の発現の有無、または各遺伝子もしくは各遺伝子がコードするタンパク質の発現量を検出することにより実施してもよい。
【０１３８】
前記（ｘ）工程において、前記各遺伝子もしくは各遺伝子がコードするタンパク質の発現に基づき、判断する場合、前記（ｘ１）工程では、例えば、前記被検トマト植物の生体試料における各遺伝子および各遺伝子がコードするタンパク質の少なくも一方の発現量を測定する。そして、前記（ｘ２）工程において、前記被検トマト植物の生体試料における各遺伝子および各遺伝子がコードするタンパク質の少なくも一方の発現量と、基準値とに基づき、前記各遺伝子について、機能喪失している植物を選抜する。具体的には、前記（ｘ２）工程では、前記被検トマト植物において、機能喪失している植物の選抜は、例えば、前記被検トマト植物の生体試料における各遺伝子および各遺伝子がコードするタンパク質の少なくも一方の発現量と、前記基準値とを比較することにより実施できる。
【０１３９】
前記被検トマト植物の生体試料は、特に制限されず、例えば、前記被検トマト植物の植物個体および前記植物個体の部分のいずれでもよい。前記（ｘ１）工程で使用する生体試料の種類は、例えば、１種類でもよいし、２種類以上でもよい。
【０１４０】
前記（ｘ１）工程において、各遺伝子の発現量は、例えば、半定量的ＰＣＲ、定量的ＰＣＲ、ノーザンブロッティング、デジタルPCR、RNAシークエンス解析（RNAseq）等により測定できる。また、前記（ｘ１）工程において、各遺伝子がコードするタンパク質の発現量は、例えば、紫外吸収法、ビシンコニン酸法等の分光光度計を用いた方法、ＥＬＩＳＡ、ウエスタンブロッティング等のタンパク質の定量方法により、測定できる。
【０１４１】
前記基準値は、例えば、前記野生型のトマト植物における各遺伝子または各遺伝子がコードするタンパク質の発現量、対象とする各遺伝子と対応する遺伝子について、機能喪失している植物（例えば、SlTOM1a遺伝子、SlTOM1b遺伝子、SlTOM1c遺伝子、および/またはSlTOM1d遺伝子を完全欠失したトマト植物）における各遺伝子または各遺伝子がコードするタンパク質の発現量等があげられる。前記基準値として前記機能喪失している植物における各遺伝子の発現量を用いる場合、前記機能喪失している植物は、例えば、一対の染色体上のそれぞれに座乗する２つのSlTOM1a遺伝子、SlTOM1b遺伝子、SlTOM1c遺伝子、および／またはSlTOM1d遺伝子のうち、いずれか一方の遺伝子について、機能喪失している植物でもよいし、両方の遺伝子について、機能喪失している植物でもよい。前記基準値とする各遺伝子または各遺伝子がコードするタンパク質の発現量は、例えば、前記被検トマト植物の生体試料と同じ条件で採取した生体試料における各遺伝子または各遺伝子がコードするタンパク質の発現量を、前記被検トマト植物の生体試料と同様の方法で測定することにより、得ることができる。前記基準値は、例えば、予め測定してもよいし、前記被検トマト植物の生体試料と同時に測定してもよい。
【０１４２】
この場合、前記（ｘ２）工程において、前記被検トマト植物における各遺伝子について、機能喪失しているかの評価方法は、特に制限されず、前記基準値の種類によって、適宜決定できる。具体例として、前記被検トマト植物の生体試料における各遺伝子の発現量が、対応する野生型のトマト植物における対応する遺伝子の発現量より低い場合、前記遺伝子について、機能喪失している植物における前記遺伝子の発現量と同じ場合（有意差がない場合）、および／または機能喪失している植物における遺伝子の発現量より低い場合、前記被検トマト植物は、例えば、前記遺伝子について、機能喪失していると評価できる。また、前記被検トマト植物の生体試料における各遺伝子がコードするタンパク質の発現量が、対応する野生型のトマト植物における対応する遺伝子がコードするタンパク質の発現量より低い場合、前記被検トマト植物は、例えば、前記遺伝子について、機能喪失している植物における前記遺伝子がコードするタンパク質の発現量と同じ場合（有意差がない場合）、および／または機能喪失している植物における遺伝子がコードするタンパク質の発現量より低い場合、前記被検トマト植物は、例えば、前記遺伝子について、機能喪失していると評価できる。そして、前記（ｘ２）工程では、例えば、前記SlTOM1a遺伝子、SlTOM1c遺伝子、およびSlTOM1d遺伝子について、機能喪失していると評価されたトマト植物を、前記トバモウイルス抵抗性トマト植物として選抜する。
【０１４３】
前記（ｘ２）工程では、例えば、各遺伝子の発現量に基づき、各遺伝子の遺伝子型を評価してもよく、具体例として正常遺伝子のホモ接合型か、正常遺伝子と機能喪失遺伝子のヘテロ接合型か、機能喪失遺伝子のホモ接合型かを評価してもよい。この場合、前記基準値として、それぞれ、野生型のトマト植物、一対の染色体上のそれぞれに座乗する２つの遺伝子のうち、一方が、正常遺伝子であり、他方が、機能喪失遺伝子であるトマト植物（ヘテロ接合型のトマト植物）、一対の染色体上のそれぞれに座乗する２つの遺伝子の両者が機能喪失遺伝子であるトマト植物（機能喪失のホモ接合型トマト植物）を用いることにより実施できる。具体的には、前記（ｘ２）工程において、被検トマト植物における対象遺伝子の発現量が、野生型のトマト植物、ヘテロ接合型のトマト植物、または機能喪失のホモ接合型トマト植物における対象遺伝子の発現量と同等である場合、前記被検トマト植物は、例えば、同等の発現量を有するトマト植物と同様の遺伝子型のであると評価できる。
【０１４４】
さらに、前記（ｘ２）工程では、得られた各遺伝子の遺伝子型の評価に基づき、選抜してもよい。具体例として、前記（ｘ２）工程では、前記各遺伝子の遺伝子型が、前述の遺伝子型の組合せに該当する場合、前記トバモウイルス抵抗性トマト植物として選抜してもよい。具体例として、前記（ｘ２）工程では、例えば、SlTOM1a遺伝子、SlTOM1c遺伝子、およびSlTOM1d遺伝子について、機能喪失遺伝子をホモ接合型で有する場合、前記被検トマト植物を、トバモウイルス抵抗性トマト植物として選抜してもよい。また、前記（ｘ２）工程では、例えば、SlTOM1a遺伝子、SlTOM1b遺伝子、およびSlTOM1c遺伝子について、機能喪失遺伝子をホモ接合型で有し、SlTOM1d遺伝子について、機能喪失遺伝子をヘテロ接合型で有する場合、前記被検トマト植物を、トバモウイルス抵抗性トマト植物として選抜してもよい。さらに、前記（ｘ２）工程では、例えば、SlTOM1a遺伝子、SlTOM1b遺伝子、SlTOM1c遺伝子、およびSlTOM1d遺伝子について、機能喪失遺伝子をホモ接合型で有する場合、前記被検トマト植物を、トバモウイルス抵抗性トマト植物として選抜してもよい。
【０１４５】
前記（ｘ）工程における選抜では、SlTOM1b遺伝子を機能喪失しているトバモウイルス抵抗性トマト植物を選抜してもよい。この場合、前記（ｘ１）工程は、前記被検トマト植物のSlTOM1a遺伝子、SlTOM1b遺伝子、SlTOM1c遺伝子、およびSlTOM1d遺伝子が機能喪失しているかを検出する検出工程である。また、前記（ｘ２）工程は、前記SlTOM1a遺伝子、SlTOM1b遺伝子、SlTOM1c遺伝子、およびSlTOM1d遺伝子が機能喪失している場合、前記被検トマト植物を、トバモウイルス抵抗性トマト植物として選抜する工程である。なお、本発明は、これには限定されず、前記（ｘ）工程では、被検トマト植物から、SlTOM1a遺伝子、SlTOM1b遺伝子、SlTOM1c遺伝子、およびSlTOM1d遺伝子からなる群から選択された少なくとも１つを機能喪失している植物を選抜してもよい。また、前記（ｘ）工程では、SlTOM1d遺伝子と、SlTOM1a遺伝子、SlTOM1b遺伝子、およびSlTOM1c遺伝子からなる群から選択された少なくとも１つとを機能喪失している植物を選抜してもよい。
【０１４６】
前記（ｙ）工程は、例えば、対象のトマト植物のSlTOM1a遺伝子、SlTOM1c遺伝子、およびSlTOM1d遺伝子を機能喪失させる工程（機能喪失工程）ということもできる。前記機能喪失工程は、後述の本発明の付与方法における機能喪失工程の説明を援用できる。
【０１４７】
つぎに、前記（ａ）工程において、他方の親として使用するトマト植物は、特に制限されず、例えば、既知のトバモウイルス抵抗性トマト植物（例えば、Tm-22を有するトマト植物）でもよいし、他の抵抗性を有するトマト植物でもよいし、前記本発明の抵抗性トマト植物でもよい。
【０１４８】
前記（ａ）工程において、前記トバモウイルス抵抗性トマト植物と前記他のトマト植物との交雑方法は、特に制限されず、公知の方法が採用できる。
【０１４９】
前記（ｂ）工程において、トバモウイルス抵抗性トマト植物を選抜する対象は、例えば、前記（ａ）工程より得られたトマト植物でもよいし、さらに、そのトマト植物から得られた後代系統でもよい。具体的に、前記対象は、例えば、前記（ａ）工程の交雑によって得られたＦ１のトマト植物でもよいし、その後代系統でもよい。前記後代系統は、例えば、前記（ａ）工程の交雑によって得られたＦ１のトマト植物の自殖交雑後代または戻し交雑後代でもよいし、前記Ｆ１のトマト植物等の後代系統のトマト植物と、他のトマト植物とを交雑することによって得られたトマト植物であってもよい。
【０１５０】
前記（ｂ）工程において、トバモウイルス抵抗性トマト植物の選抜は、例えば、トバモウイルス抵抗性を、直接的または間接的に確認することにより行うことができる。
【０１５１】
前記（ｂ）工程において、前記直接的な確認は、得られた前記Ｆ１のトマト植物またはその後代系統について、例えば、前記参考情報１に記載の病徴を参照し、糸状の葉の形成の有無および／または生育遅延の有無により判断することができる。前記糸状の葉は、例えば、葉の一部が萎縮し、糸状の形態を示すことを意味し、具体例として、前記参考情報１におけるSymptoms of ToBRFV (German DSMZ isolate) on Solanum lycopersicum cv. 'moneymaker' obtained by artificial inoculation under quarantine facilities (France, 2019)の例を参照できる。被検トマト植物がトバモウイルスに感染した場合、前記被検トマト植物では、例えば、糸状の葉の形成および／または生育遅延が観察される。このため、前記被検トマト植物が、糸状の葉の形成を形成している場合、および／または生育遅延している場合、前記被検トマト植物は、トバモウイルスに罹患している、すなわち、罹病性であると評価できる。他方、前記被検トマト植物が、糸状の葉の形成を形成していない場合、および／または生育遅延していない場合、前記被検トマト植物は、トバモウイルスに罹患していない、すなわち、抵抗性であると評価できる。前記生育遅延は、トバモウイルスに感染していないトマト植物（例えば、トバモウイルス未接種の個体）と比較することにより評価してもよいし、前記被検トマト植物の栽培日数を勘案し、一般的なトマト植物の生育状態と比較することにより、評価してもよい。前記（ｂ）工程において、前記直接的な確認は、例えば、後述の実施例２の方法に準じて、トマト植物の発病指数を評価し、前記発病指数から算出する発病度により評価することが好ましい。この場合、前記「トバモウイルス抵抗性」および「トバモウイルス罹病性」は、前述の基準に基づき評価できる。
【０１５２】
また、前記（ｂ）工程において、前記間接的な確認による選抜は、例えば、下記（ｂ１）および（ｂ２）工程によって行うことができる。
（ｂ１）前記（ａ）工程より被検トマト植物のSlTOM1a遺伝子、SlTOM1c遺伝子、およびSlTOM1d遺伝子が機能喪失しているかを検出する検出工程
（ｂ２）前記SlTOM1a遺伝子、SlTOM1c遺伝子、およびSlTOM1d遺伝子が機能喪失している場合、前記被検トマト植物を、トバモウイルス抵抗性トマト植物として選抜する選抜工程
【０１５３】
前記（ｂ）工程におけるトバモウイルス抵抗性トマト植物の選抜は、例えば、前記（ｘ）工程において説明した方法と同様であり、前記（ｂ１）工程は、前記（ｘ１）工程と同様に、前記（ｂ２）工程は、前記（ｘ２）工程と同様にして実施できる。
【０１５４】
本発明の製造方法は、前記（ｂ）工程において選抜されたトバモウイルス抵抗性トマト植物を、さらに育成することが好ましい。前記トマト植物の育成条件および育成方法は、例えば、前記トマト植物の成長段階および前記トマト植物の品種に応じて適宜決定できる。前記育成では、例えば、前記トマト植物の任意の成長段階まで生育してよい。
【０１５５】
このように、前記（ｂ）工程では、前記トバモウイルス抵抗性が確認された前記トマト植物またはその後代系統を、トバモウイルス抵抗性トマト植物として選抜できる。
【０１５６】
本発明の製造方法は、さらに、交雑により得られた前記後代系統から、種子を採取する採種工程を含んでもよい。
【０１５７】
＜付与方法＞
本発明のトマト植物におけるトバモウイルス抵抗性の付与方法は、前述のように、対象のトマト植物のSlTOM1a遺伝子、SlTOM1c遺伝子、およびSlTOM1d遺伝子を機能喪失させる機能喪失工程を含む。本発明の付与方法は、対象のトマト植物のSlTOM1a遺伝子、SlTOM1c遺伝子、およびSlTOM1d遺伝子を機能喪失させることが特徴であり、その他の工程および条件は、特に制限されない。本発明の付与方法によれば、トマト植物にトバモウイルス抵抗性を付与できる。本発明の付与方法は、前記本発明の抵抗性トマト植物および第１の生産方法の説明を援用できる。
【０１５８】
本発明において、前述のように、前記SlTOM1遺伝子群における各遺伝子の機能喪失は、各遺伝子に機能喪失変異を導入することにより、実施してもよいし、各遺伝子の発現を抑制するポリヌクレオチドを導入することにより、実施してもよいし、対象のトマト植物と、本発明のトマト植物を交雑することにより、実施してもよい。前記交雑により実施する場合、本発明の付与方法は、例えば、前記本発明の第１の生産方法と同様に実施できる。
【０１５９】
各遺伝子に機能喪失変異を導入する場合、前記機能喪失工程では、例えば、対象のトマト植物のSlTOM1a遺伝子、SlTOM1c遺伝子、およびSlTOM1d遺伝子に機能喪失変異を導入する。前記対象のトマト植物は、例えば、一対の染色体のそれぞれに、前記SlTOM1a遺伝子、SlTOM1c遺伝子、およびSlTOM1d遺伝子を有する。このため、前記機能喪失工程では、例えば、前記対象のトマト植物における一対の染色体の前記SlTOM1a遺伝子、SlTOM1c遺伝子、およびSlTOM1d遺伝子のうち、いずれか一方の染色体の前記SlTOM1a遺伝子、SlTOM1c遺伝子、およびSlTOM1d遺伝子について、機能喪失させてもよいし、両方の染色体の前記SlTOM1a遺伝子、SlTOM1c遺伝子、およびSlTOM1d遺伝子について、機能喪失させてもよいが、後者が好ましい。前記機能喪失工程では、前記各遺伝子の遺伝子型が、前述の遺伝子型の組合せに該当するように、機能喪失変異を導入することが好ましい。具体例として、前記機能喪失工程では、例えば、SlTOM1a遺伝子、SlTOM1c遺伝子、およびSlTOM1d遺伝子について、機能喪失遺伝子をホモ接合型で有するように、機能喪失変異を導入する。また、前記機能喪失工程では、１対のSlTOM1a遺伝子、１対のSlTOM1b遺伝子、および１対のSlTOM1c遺伝子について、機能喪失遺伝子をホモ接合型で有し、１対のSlTOM1d遺伝子について、機能喪失遺伝子をヘテロ接合型で有するように、機能喪失変異を導入する。さらに、前記機能喪失工程では、例えば、SlTOM1a遺伝子、SlTOM1b遺伝子、SlTOM1c遺伝子、およびSlTOM1d遺伝子について、機能喪失遺伝子をホモ接合型で有するように機能喪失変異を導入する。
【０１６０】
各遺伝子の機能喪失は、例えば、前述のように突然変異を導入することにより実施できる。前記突然変異は、例えば、前述の説明が援用でき、好ましくは、ナンセンス突然変異またはフレームシフト突然変異である。前記機能喪失変異は、例えば、各遺伝子（各遺伝子の塩基配列）に対して、１もしくは数個の塩基が欠失、置換、挿入、および／または付加することにより導入してもよく、好ましくは、各遺伝子の正常遺伝子を部分欠失または完全欠失させることにより導入する。
【０１６１】
前記機能喪失工程において、各遺伝子に機能喪失変異を導入する領域は、各遺伝子のイントロン領域でもよいし、エキソン領域でもよいが、好ましくは、後者である。
【０１６２】
前記各遺伝子の機能喪失は、例えば、対象のトマト植物の対象遺伝子に対し、常法により、変異を導入することにより引き起こすことができる。前記変異の導入方法は、例えば、相同組換え；ＺＦＮ、ＴＡＬＥＮ、ＣＲＩＳＰＲ−ＣＡＳ９、ＣＲＩＳＰＲ−ＣＰＦ１等を用いたゲノム編集技術：等により、実施できる。前記ゲノム編集技術を用いた変異の導入方法は、例えば、後述の実施例１を参照できる。また、前記変異の導入方法は、例えば、ランダム突然変異誘発法により、実施してもよい。前記ランダム突然変異誘発法は、例えば、α線、β線、γ線、Ｘ線等の放射線照射処理；メタンスルホン酸エチル（ＥＭＳ）、エチニルニトロソウレア（ＥＮＵ）等の変異誘発剤による化学物質処理；重イオンビーム処理；等があげられる。なお、上述の各変異の導入方法は、例えば、市販のキット等を用いて実施してもよい。
【０１６３】
前記対象のトマト植物は、例えば、植物細胞、カルス、植物組織、および植物個体のいずれでもよい。
【０１６４】
本発明の付与方法では、前記機能喪失工程後、前記各遺伝子に機能喪失変異が導入されている植物を選抜することが好ましい。前記選抜対象のトマト植物は、例えば、前記機能喪失工程で得られたトマト植物でもよいし、その後代系統でもよい。前記選抜は、例えば、前述の（ｘ）工程と同様に実施でき、その説明を援用できる。
【０１６５】
つぎに、各遺伝子の発現を抑制するポリヌクレオチドを導入する場合、前記ポリヌクレオチドの導入方法は、特に制限されず、例えば、ＲＮＡ干渉、アンチセンスＲＮＡ、ゲノム編集技術等の方法により実施できる。前記ポリヌクレオチドを含む発現ベクター等の発現カセットは、例えば、ポリエチレングリコール法、電気穿孔法（エレクトロポレーション法）、アグロバクテリウムを介する方法、パーティクルガン法等により、対象のトマト植物に導入できる。前記対象のトマト植物は、例えば、植物細胞、カルス、植物組織、および植物個体のいずれでもよい。
【０１６６】
＜第２の生産方法＞
本発明のトバモウイルス抵抗性トマト植物の生産方法は、前述のように、対象のトマト植物にトバモウイルス抵抗性を付与する付与工程を含み、前記付与工程は、前記本発明のトマト植物におけるトバモウイルス抵抗性の付与方法により実施される。本発明の第２の生産方法は、前記付与工程を、前記本発明のトマト植物におけるトバモウイルス抵抗性の付与方法により実施することが特徴であり、その他の工程および条件は、特に制限されない。本発明の第２の生産方法によれば、トバモウイルス抵抗性トマト植物を生産できる。本発明の第２の生産方法は、前記本発明の抵抗性トマト植物、第１の生産方法、および付与方法の説明を援用できる。
【０１６７】
＜スクリーニング方法＞
本発明のトバモウイルス抵抗性トマト植物のスクリーニング方法は、前述のように、被検トマト植物から、SlTOM1a遺伝子、SlTOM1c遺伝子、およびSlTOM1dを機能喪失している被検トマト植物を、トバモウイルス抵抗性トマト植物として選抜する選抜工程を含む。本発明のスクリーニング方法は、前記選抜工程において、SlTOM1a遺伝子、SlTOM1c遺伝子、およびSlTOM1dの機能喪失を指標とすることが特徴であり、その他の工程および条件は、特に制限されない。本発明のスクリーニング方法によれば、トバモウイルス抵抗性トマト植物をスクリーニングできる。本発明のスクリーニング方法は、前記本発明の抵抗性トマト植物、第１の生産方法、および付与方法の説明を援用できる。
【０１６８】
本発明のスクリーニング方法において、前記選抜工程は、前記（ｘ）工程と同様に実施でき、その説明を援用できる。
【０１６９】
＜第３の生産方法＞
本発明のトバモウイルス抵抗性トマト植物の生産方法は、前述のように、被検トマト植物から、SlTOM1a遺伝子、SlTOM1c遺伝子、およびSlTOM1d遺伝子について、機能喪失している、被検トマト植物をスクリーニングするスクリーニング工程を含み、前記スクリーニング工程は、前記本発明のトバモウイルス抵抗性トマト植物のスクリーニング方法により実施される。本発明の第３の生産方法は、前記スクリーニング工程を、本発明のスクリーニング方法により実施することが特徴であり、その他の工程および条件は、特に制限されない。本発明の第３の生産方法は、前記本発明の抵抗性トマト植物、第１の生産方法、付与方法、およびスクリーニング方法の説明を援用できる。
【０１７０】
＜第２のトマト植物＞
本発明のトバモウイルス抵抗性トマト植物（以下、「第２のトマト植物」ともいう）は、前記本発明の第１の生産方法、第２の生産方法、または第３の生産方法により得られる。本発明の第２のトマト植物は、前記本発明の第１の生産方法、第２の生産方法、または第３の生産方法により得られることが特徴であり、その他の構成および条件は、特に制限されない。本発明の第２のトマト植物は、前記本発明の抵抗性トマト植物、第１の生産方法、付与方法、第２の生産方法、スクリーニング方法、および第３の生産方法の説明を援用できる。
【０１７１】
＜加工食品＞
本発明の植物の加工食品は、前述のように、本発明のトバモウイルス抵抗性トマト植物を用いる。本発明の植物の加工食品は、加工対象のトマト植物として、前記本発明の抵抗性トマト植物を用いることが特徴であり、その他の構成および条件は、特に制限されない。本発明の加工食品は、前記本発明の抵抗性トマト植物、第１の生産方法、付与方法、第２の生産方法、スクリーニング方法、第３の生産方法、および第２のトマト植物の説明を援用できる。
【０１７２】
本発明の加工食品において、「加工」は、特に制限されず、例えば、トマト植物に対する任意の処理を意味する。具体例として、前記加工は、例えば、切断、スライス、ミンチ化、裏ごし、乾燥、缶詰め、瓶詰め、洗浄、包装、冷凍、加熱、調味等があげられる。前記加工食品の製造において実施する加工は、１種類でもよいし、複数種類でもよい。また、前記加工食品の製造においては、同一の処理を１回実施してもよいし、複数回実施してもよい。
【０１７３】
＜検出方法＞
本発明のトマト植物のトバモウイルス抵抗性の検出方法は、前述のように、被検トマト植物において、SlTOM1a遺伝子、SlTOM1c遺伝子、およびSlTOM1d遺伝子に機能喪失しているかを検出する検出工程を含む。本発明の検出方法は、前記検出工程において、SlTOM1a遺伝子、SlTOM1c遺伝子、およびSlTOM1d遺伝子が機能喪失しているかを検出することが特徴であり、その他の工程および条件は、特に制限されない。本発明の検出方法によれば、被検トマト植物が、トバモウイルス抵抗性を有しているか否かを検出できる。本発明の検出方法は、前記本発明の抵抗性トマト植物、第１の生産方法、付与方法、第２の生産方法、スクリーニング方法、第３の生産方法、および第２のトマト植物の説明を援用できる。
【０１７４】
本発明の検出方法は、例えば、被検トマト植物のSlTOM1a遺伝子、SlTOM1c遺伝子、およびSlTOM1d遺伝子について、機能欠失変異を検出する検出工程を含む。前記検出工程は、例えば、前記本発明の第１の生産方法の選抜工程における（ｘ）工程または前記間接的な選抜の説明を援用できる。具体例として、前記検出工程では、例えば、SlTOM1a遺伝子、SlTOM1c遺伝子、およびSlTOM1d遺伝子について、遺伝子発現またはその塩基配列を検出する。前記検出工程では、例えば、さらに、SlTOM1b遺伝子について、遺伝子発現またはその塩基配列を検出する。
【０１７５】
本発明の検出方法は、さらに、前記遺伝子発現または塩基配列に基づき、前記被検トマト植物のSlTOM1a遺伝子、SlTOM1c遺伝子、およびSlTOM1d遺伝子が、正常遺伝子か、機能喪失遺伝子かを判定する判定工程を含むことが好ましい。前記判定工程は、例えば、前記被検トマト植物のSlTOM1a遺伝子、SlTOM1c遺伝子、およびSlTOM1d遺伝子を、それぞれ対応する野生型のトマト植物のSlTOM1a遺伝子、SlTOM1c遺伝子、およびSlTOM1d遺伝子と比較することにより判定できる。具体的には、前記判定工程では、前記被検トマト植物のSlTOM1a遺伝子、SlTOM1c遺伝子、およびSlTOM1d遺伝子が、野生型のトマト植物のSlTOM1a遺伝子、SlTOM1c遺伝子、およびSlTOM1d遺伝子と同一の塩基配列を有しているか、機能喪失変異でない変異を有している場合、前記被検トマト植物のSlTOM1a遺伝子、SlTOM1c遺伝子、およびSlTOM1d遺伝子は、正常遺伝子であると判定できる。他方、前記判定工程では、前記被検トマト植物のSlTOM1a遺伝子、SlTOM1c遺伝子、およびSlTOM1d遺伝子が、機能喪失変異を有している場合、前記被検トマト植物のSlTOM1a遺伝子、SlTOM1c遺伝子、およびSlTOM1d遺伝子は、機能喪失遺伝子であると判定できる。本発明の検出方法が前記検出工程において、SlTOM1b遺伝子について、機能欠失変異を検出する場合、本発明の検出方法は、さらに、前記遺伝子発現または塩基配列に基づき、前記被検トマト植物のSlTOM1b遺伝子が、正常遺伝子か、機能喪失遺伝子かを判定する判定工程を含むことが好ましい。前記判定工程では、前記被検トマト植物のSlTOM1b遺伝子が、野生型のトマト植物のSlTOM1b遺伝子と同一の塩基配列を有しているか、機能喪失変異でない変異を有している場合、前記被検トマト植物のSlTOM1b遺伝子は、正常遺伝子であると判定できる。他方、前記判定工程では、前記被検トマト植物のSlTOM1b遺伝子が、機能喪失変異を有している場合、前記被検トマト植物のSlTOM1b遺伝子は、機能喪失遺伝子であると判定できる。なお、前記検出工程では、SlTOM1a遺伝子、SlTOM1c遺伝子、およびSlTOM1d遺伝子を指標としたが、本発明はこれに限定されず、例えば、SlTOM1a遺伝子、SlTOM1b遺伝子、SlTOM1c遺伝子、およびSlTOM1d遺伝子からなる群から選択された少なくとも１つの遺伝子を指標としてもよい。
【実施例】
【０１７６】
以下、実施例を用いて本発明を詳細に説明するが、本発明は実施例に記載された態様に限定されるものではない。
【０１７７】
［実施例１］
本発明のトマト植物が、トバモウイルス抵抗性を示すことを確認した。
【０１７８】
（１）機能喪失変異の導入
SlTOM1a〜d遺伝子への機能喪失変異の導入は、CRISPR-CAS9システムを用いたゲノム編集技術により実施した。具体的には、植物細胞に導入する発現ベクターとしては、T-DNA上にCas9およびガイド配列挿入部位をもつバイナリーベクターであるpDe-Cas9_Kan（参考文献２）を用いた。また、各遺伝子に対するguide RNA配列の設計は、CRISPR-Pプログラム（参考文献３）を用いて実施した。得られた候補guide RNAにおいて、オフターゲット部位（標的以外の部位）の切断が起きにくいと予想されたguide RNA配列を選択した。そして、精製Cas9タンパク質と、選択した候補guide RNAと、標的配列を有するＤＮＡとを用いて、試験管内で標的配列を有するＤＮＡの切断活性を検討し、切断活性を有するguide RNA配列を、後述のトマト植物に導入するguide RNAとして用いた。
参考文献２：Friedrich Fauser et.al., “Both CRISPR/Cas-based nucleases and nickases can be used efficiently for genome engineering in Arabidopsis thaliana”, The Plant Journal, 2014, vol.79, pages 348-359
参考文献３：Yang Lei et.al, “CRISPR-P: A Web Tool for Synthetic Single-Guide RNA Design of CRISPR-System in Plants”, Molecular Plant, 2014, vol. 7, pages 1494-1496
【０１７９】
各遺伝子に対するguide RNAの配列およびプロトスペーサー隣接モチーフ（ＰＡＭ）は下記の通りである。なお、下記配列において、下線で示す塩基配列が、ＰＡＭである。
・SlTOM1a遺伝子およびSlTOM1d遺伝子用guide RNAの標的配列
5'-GTTGTGAAGAATGCAAGACTTGG-3'（配列番号１２）
・SlTOM1b遺伝子用guide RNAの標的配列
5'-TCAAAGATGGGGCGAACTCGTGG-3'（配列番号１３）
・SlTOM1c遺伝子用guide RNAの標的配列
5'-GCCGATTGACATCGCCGGTCCGG-3'（配列番号１４）
【０１８０】
つぎに、選抜した３種類のguide RNA配列を、それぞれU6プロモーター下流に挿入した遺伝子カセットを作製した。得られた遺伝子カセットを、pDe-Cas9_Kanベクターのクローニング部位にタンデムに（３種類のguide RNA配列が連続して配置されるように）挿入し、Cas9およびguide RNAの発現ベクターを作製した。さらに、得られた発現ベクターを、アグロバクテリウムを用いてトマト植物（GCR26系統：ToMV感受性）の子葉片に導入した。そして、T-DNA上の選択マーカーnptIIによるカナマイシン耐性を指標とした選抜を行なった後、カルス誘導、シュート誘導、および発根を経て形質転換体（T0世代）を取得した。トマトの形質転換にかかわる一連の操作は、参考文献４の方法に従って実施した。
参考文献４：Hyeon-Jin Sun et.al, “A Highly Efficient Transformation Protocol”, Plant Cell Physiol., 2006, vol. 47, No. 3, pages 426-431
【０１８１】
得られたT0植物の各個体からゲノムＤＮＡを常法により精製した。そして、前記ゲノムＤＮＡにおいて、SlTOM1c遺伝子の標的部位付近の変異の有無について、Cleaved Amplified Polymorphic Sequence（CAPS）を用いた方法（参考文献５）により検出した。また、前記ゲノムＤＮＡにおいて、SlTOM1a遺伝子、SlTOM1b遺伝子、およびSlTOM1d遺伝子の標的部位付近の変異の有無について、T7エンドヌクレアーゼ１を用いた方法（参考文献６）により検出した。この結果、１１個の独立したカルスから得た１８本のシュートにおいて、いずれか１つ以上のSlTOM1遺伝子群に変異が生じていることが示唆された。
参考文献５：Andrzej Konieczny et.al., “A procedure for mapping Arabidopsis mutations using co-dominant ecotype-specific PCR-based markers.”, The Plant Journal, 1993, vol. 4, No. 2, pages 403-410
参考文献６：Lena Vouillot et.al., “Comparison of T7E1 and Surveyor Mismatch Cleavage Assays to Detect Mutations Triggered by Engineered Nucleases”, 2015, vol. 5, No. 3, pages 407-415
【０１８２】
つぎに、前記１８本のシュート由来の植物個体（T0世代）について、自殖させ、４株（#4d、#47、#57、#106）からT1種子を採種できた。なお、前記４株は、それぞれ別のカルスに由来する。得られたT1種子を播種および生育後、得られたT1植物の各個体からゲノムＤＮＡを常法により精製した。そして、各個体のゲノムＤＮＡの標的配列付近の塩基配列を決定した。その結果、３株のT0植物（#47、#57、#106）由来のT1植物に変異が見いだされた。これら３系統のうち１系統において、T1植物にCas9遺伝子とnptII遺伝子が見いだされた。他方、あとの２系統（#57-1、#106-1）には、いずれの遺伝子も少なくとも完全な形では存在しなかった（PCRで検定）。なお、Cas9遺伝子およびnptII遺伝子の検出は、ＰＣＲにより実施した。前記２系統（#57-1、#106-1）の結果を下記表１に示す。下記表１に示すように、T1植物#57-1-3では、SlTOM1b遺伝子、SlTOM1c遺伝子、およびSlTOM1d遺伝子に、それぞれ、５、１、および２塩基の欠失によるフレームシフト突然変異が生じていた、すなわち、機能喪失変異が導入されていた。また、T1植物#106-1-4では、SlTOM1a遺伝子およびSlTOM1c遺伝子に、１塩基の挿入によるフレームシフト突然変異が生じていた、すなわち、機能喪失変異が導入されていた。なお、後述の解析から明らかなように、いずれもエキソン領域に対して変異が導入されていた。
【０１８３】
【表１】
0006810946.tif 000002
【０１８４】
つぎに、T1植物#57-1-3および#106-1-4と、前述の被形質転換植物（GCR26系統）とを交雑し、得られた後代系統から、Sltom1a-1（#106-1-4由来）、Sltom1b-1（#57-1-3由来）、Sltom1c-1（#57-1-3由来）、およびSltom1d-1（#57-1-3由来）変異について、様々な組み合わせで有する系統（試験系統）を確立した。後代系統のジェノタイピングには、フラグメント解析（増幅フラグメント長多型のDNAシーケンサーによる解析）、CAPS解析、dCAPS （derived cleaved amplified polymorphic sequence、参考文献７）解析、DNAシーケンシング解析を併用した。各変異アリルの結果を以下に示す。
参考文献７：Michael M. Neff et.al., “dCAPS, a simple technique for the genetic analysis of single nucleotide polymorphisms: experimental applications in Arabidopsis thaliana genetics”, The Plant Journal, 1998, vol. 14, No. 3, pages 387-392
【０１８５】
（各変異アリル）
・SlTOM1aの変異アリル
SlTOM1ad共通ガイド配列（相補鎖）：   CCAAGT-CTTGCATTCTTCACAAC   （配列番号１５）
Sltom1a-1(106-1-4由来)(ins1)    ：ATGCCAAGTACTTGCATTCTTCACAACTTT（配列番号１６）
Sltom1a-1のアミノ酸配列         ： M  P  S（フレームシフト突然変異）
アミノ酸残基番号（全長295 残基）：       105
・SlTOM1bの変異アリル
SlTOM1bガイド配列（相補鎖）     ：   CCACGAGTTCGCCCCATCTTTGA   （配列番号１７）
Sltom1b-1(57-1-3由来)(del5)     ：ACACCACGAG-----CCCATCTTTGATTG（配列番号１８）
Sltom1b-1のアミノ酸配列         ： T  P  R（フレームシフト突然変異）
アミノ酸残基番号（全長297 残基）：       21
・SlTOM1cの変異アリル
SlTOM1cガイド配列               ：  GCCGATTGACATCGCCGGTCCGG   （配列番号１９）
Sltom1c-1(57-1-3由来)(del1)     ：TCGCCGATTGACATCGCC-GTCCGGTGA（配列番号２０）
Sltom1c-1のアミノ酸配列         ： S  P  I  D  I  A（フレームシフト突然変異）
（配列番号２１）
アミノ酸残基番号（全長288 残基）：                14
・SlTOM1dの変異アリル
SlTOM1ad共通ガイド配列（相補鎖）：   CCAAGTCTTGCATTCTTCACAAC   （配列番号２２）
Sltom1d-1(57-1-3由来)(del2)     ：ATGCCAAGT--TGCATTCTTCACAACTTT（配列番号２３）
Sltom1d-1のアミノ酸配列         ： M  P  S（フレームシフト突然変異）
アミノ酸残基番号（全長295 残基）：      105
・略語
del:欠失、ins:挿入、-：欠失塩基
下線は、ＰＡＭを示す。
【０１８６】
（２）トバモウイルス抵抗性の検討
前記試験系統の種子について、吸水後、播種し、子葉を展開させた。そして、吸水後１０日目の試験系統の子葉に、精製されたトマトモザイクウイルス（ToMV-L、参考文献８中のtobacco mosaic virus tomato strain (L））（0.1g/l）を、子葉１枚あたり約１０μｌとなるように子葉全面に塗布して接種後、水で洗い流した。なお、ToMV-Lのゲノム塩基配列は、Genbankアクセッション番号：X02144で登録されている塩基配列からなる。前記接種後、７日間さらに培養した。なお、前記培養は、人工気象器を用い、２５℃（Constant）、１６時間明期、８時間暗期の条件下で実施した。前記培養後、接種した子葉（接種葉）からサンプルを調製し、接種葉におけるウイルス外被タンパク質（ＣＰ）の蓄積を検討した。具体的には、前記接種葉の約半分（約２０ｍｇ）をジルコニアボール（直径3 mm）２個の入った1.5 mlチューブに回収した。そして、抽出バッファー３０μｌを添加し、破砕処理(Qiagen Tissue Lyser「毎秒28回, 30 秒」を2回）を実施した。前記抽出バッファーの組成は、225 mmol/l Tris-HCl pH 7.5, 2.5 mmol/l EDTA-Na pH 8、および 1 mg/ml ascorbic acidとした。得られた破砕物を遠心し、残渣をチューブの底に集めてから、水で4倍希釈したゲルサンプルバッファー120μlを添加し、混合した。前記ゲルサンプルバッファーの組成は、0.624 mol/l Tris-HCl pH 6.8、0.2 g/ml SDS、0.8 mg/ml bromophenol blue、10% (vol/vol) glycerol、および1 mol/l DTTとした。再度遠心後（23℃, 14 krpm, 5 min）、上清をSDS-PAGE用のサンプルとした。得られたサンプルについて、ＳＤＳ−ＰＡＧＥを行なった後、クマシーブリリアントブルー（ＣＢＢ）染色し、ＣＰの蓄積を確認した。また、試験系統に代えて、野生型株として、GCR26系統を用いた以外は、同様にＣＰの蓄積を確認した。これらの結果を図１に示す。
参考文献８：Takeshi OHNO et.al., “Nucleotide sequence of the tobacco mosaic virus (tomato strain) genome and comparison with the common strain genome.”, 1984, J. Biochem., vol. 96, No. 6 pages 1915-1923
【０１８７】
図１は、ＣＢＢ染色後の染色図を示す写真である。図１において、（Ａ）は、一重変異体、二重変異体および野生型の結果を示し、（Ｂ）は、二重変異体および野生型の結果を示し、（Ｃ）は、三重変異体、四重変異体および野生型の結果を示す。図１（Ａ）〜（Ｃ）において、写真の上部は、各試験系統の遺伝子型および非接種（アスタリスク（＊））を示し、写真の下部は、サンプルの由来する試験系統の株名を示す。なお、図１（Ａ）〜（Ｃ）において、Sltom1a-1、Sltom1b-1、Sltom1c-1およびSltom1d-1の変異アリルを有する試験系統について、それぞれ、a、b、c、dを用いて示している。具体例として、試験系統がΔaaの場合、前記試験系統は、SlTOM1aの両アリルが、変異アリル（Sltom1a-1）である。
【０１８８】
図１（Ａ）に示すように、SlTOM1a〜d遺伝子のうち１種類の遺伝子について機能喪失した場合、ToMV CPの蓄積の程度は、野生型の個体と同程度であり、顕著な影響を与えなかった。また、図１（Ａ）および（Ｂ）に示すように、SlTOM1a〜d遺伝子のうち２種類の遺伝子について機能喪失した場合、ToMV CPの蓄積の程度は、野生型株と比較して、若干減少した。さらに、図１（Ｂ）および（Ｃ）に示すように、三重変異体では、Δaaccdd < Δaabbcc < Δaabbdd < Δbbccddの順でToMV CPの蓄積が高くなった。特に、Δaaccddの三重変異体では、ＣＰの蓄積がほとんど見られなかった。さらに、Δaabbccddの四重変異体では、ＣＰの蓄積は見られなかった。これらの結果から、ToMV増殖への寄与は、SlTOM1a遺伝子 > SlTOM1c遺伝子 > SlTOM1d遺伝子 > SlTOM1b遺伝子 の順に小さくなることがわかった。なお、Δaadd株におけるCP蓄積は、Δaabbdd株におけるCP蓄積より顕著に高レベルであったこと、およびΔaacc株におけるCP蓄積は、Δaabbcc株におけるCP蓄積より顕著に高レベルであったことから、寄与が最も小さいと考えられるSlTOM1bもToMVの増殖への寄与がゼロではないことがわかる。また、上記考察と一致するように、二重変異株 Δaabb株、Δaacc株、およびΔaadd株では、ToMV CPの蓄積は、野生型株より若干低く抑えられた。
【０１８９】
以上のことから、Δaaccddの三重変異体またはΔaabbccddの四重変異体とすることにより、トバモウイルスに対して強い抵抗性を示すことが分かった。
【０１９０】
つぎに、ToBRFVを用いて、同様に抵抗性の検討を行なった。まず、T7 RNAポリメラーゼプロモーターの下流に、ToBRFVゲノム（非特許文献２、Genbankアクセッション番号：KX619418）の完全長のｃＤＮＡをもつ遺伝子カセットを作製し、試験管内転写により感染性RNAを合成した。なお、完全長のｃＤＮＡは、化学合成により作製した。つぎに、得られた感染性ＲＮＡを、ベンサミアナタバコ（Nicotiana benthamiana）に接種した。接種後８日目にウイルスの増殖を確認後、接種葉および上葉を刈り取り、生重量の２倍容のリン酸緩衝液（0.1 mol/l, pH7）とともに破砕した。さらに、得られた破砕物を、生重量の１８倍容の水で希釈し、これを接種源として用いた。
【０１９１】
そして、ToMVに代えてToBRFVを接種した以外は、ToMVの接種と同様にして、前記試験系統の子葉に接種した。そして、接種後７日目の接種葉における外被タンパク質の蓄積を同様にして検討した。また、前記試験系統に変えて、野生型株として、GCR26系統を用い、ToMV抵抗性（Tm-22)株として、GCR267系統を用いた。またウイルスとして、ToBRFVに加えてToMVを用いた以外は、同様にＣＰの蓄積を確認した。これらの結果を図２に示す。
【０１９２】
図２は、ＣＢＢ染色後の染色図を示す写真である。図２において、（Ａ）は、一重変異体、二重変異体、野生型、Tm-22株および三重変異体の結果を示し、（Ｂ）は、二重変異体、野生型、Tm-22株および三重変異体の結果を示し、（Ｃ）は、三重変異体、四重変異体、野生型およびTm-22株の結果を示す。図２（Ａ）〜（Ｃ）において、写真の上部は、各試験系統の遺伝子型および非接種（アスタリスク（＊））を示し、写真の下部は、サンプルの由来する試験系統の株名および接種したウイルスの種類を示す。なお、図２（Ａ）〜（Ｃ）において、Sltom1a-1、Sltom1b-1、Sltom1c-1およびSltom1d-1の変異アリルを有する試験系統について、それぞれ、a、b、c、dを用いて示している。具体例として、試験系統がΔaaの場合、前記試験系統は、SlTOM1aの両アリルが、変異アリル（Sltom1a-1）である。
【０１９３】
図２（Ａ）〜（Ｃ）に示すように、Tm-22株は、ToMVを接種した場合、ＣＰの蓄積が見られず、抵抗性を示した。他方、Tm-22株では、ToBRFVを接種した場合、ＣＰの蓄積が見られ、ToBRFVは、Tm-22株のトバモウイルス抵抗性を打破することを確認した。また、図２（Ａ）〜（Ｃ）に示すように、Δaabbccddの四重変異体およびΔaaccddの三重変異体では、ToBRFVを接種した場合においても、ＣＰの蓄積はみられなかった。他方、Δaabbcc、ΔaabbddまたはΔbbccddの三重変異体では、ToBRFVを接種した場合において、ＣＰの蓄積が見られ、また、Δaabbcc < Δaabbdd < Δbbccddの順で高いＣＰの蓄積がみられた。さらに、Δaaccddの三重変異体およびΔaabbccの三重変異体におけるＣＰの蓄積量をウエスタンブロットで比較したところ、Δaaccddの三重変異体におけるＣＰの蓄積は検出限界以下であり、Δaabbccの三重変異体におけるＣＰの蓄積量を基準として、１／１００〜１／１０以下であることがわかった。なお、当該ウエスタンブロット解析におけるＣＰ蓄積の検出限界は、図２（Ｃ）に示す、８７−７の第４株（Δaabbccの三重変異体）におけるＣＰ蓄積の１／１００程度であった。
【０１９４】
さらに、データは示していないが、接種後２１日目の非接種上葉を調べると、Δaabbccddの四重変異体では、接種した６株のいずれにおいてもＣＰの蓄積はみられなかった。また、Δaaccddの三重変異体では、接種した６株中３株で極低レベルの蓄積がみられ、他の３株では、ＣＰは検出されなかった。また、Δaabbcc、ΔaabbddまたはΔbbccddの三重変異体では、ＣＰは、顕著に蓄積していた。さらに、ＣＰ蓄積のみられたΔaaccddの三重変異体の３株およびΔaabbccの三重変異体におけるＣＰの蓄積量を比較したところ、Δaaccddの三重変異体におけるＣＰの蓄積量は、Δaabbccの三重変異体におけるＣＰの蓄積量を超えることはなかった。
【０１９５】
以上の結果から、ToBRFVの増殖への寄与は、ToMVの場合と同じくSlTOM1a遺伝子 > SlTOM1c遺伝子 > SlTOM1d遺伝子 > SlTOM1b遺伝子の順に小さくなることがわかった。また、Δaaccddの三重変異体またはΔaabbccddの四重変異体とすることにより、ToBRFVに対しても強い抵抗性を示すことが分かった。
【０１９６】
（３）病徴の検討
野性型株と、Δaabbcc、Δaabbdd、Δaaccdd、およびΔbbccddの三重変異体と、Δaabbccddの四重変異体と、Tm-22株とについて、前記実施例１（２）と同様に吸水後、播種した。そして、前記実施例１（２）と同様にして、吸水後１０日目にToBRFVを接種した。そして、さらに２０日間培養し、トバモウイルスの病徴が現れているかを検討した。また、Tm-22株に、ToMVを接種した以外は、同様にして、トバモウイルスの病徴を検討した。これらの結果を図３に示す。
【０１９７】
図３は、トバモウイルス接種後２０日目における各植物を示す写真である。図３において（Ａ）は、ToMVまたはToBRFVを接種したTm-22株を示し、（Ｂ）は、ToBRFVを接種した野生型株およびΔaabbccddの四重変異株（Δabcd）の結果を示し、（Ｃ）は、ToBRFVを接種したΔaabbccの三重変異体（Δabc）およびΔaabbddの三重変異体（Δabd）の結果を示し、（Ｄ）は、ToBRFVを接種したΔbbccddの三重変異体（Δbcd）およびΔaaccddの三重変異体（Δacd）の結果を示す。図３（Ａ）および（Ｂ）に示すように、ToBRFVを接種した野生型株およびTm-22株は激しい病徴を示し、特徴的な糸葉症状を示した。また、Δaabbcc、ΔaabbddおよびΔbbccddの三重変異体についても、接種後２０日目には特徴的な糸葉症状を示した。他方、ToBRFVの増殖がみられない、または極低レベルであったΔaaccddの三重変異体およびΔaabbccddの四重変異体は、接種後２０日目においても病徴を示さなかった。これらの結果から、Δaaccddの三重変異体またはΔaabbccddの四重変異体とすることにより、ToBRFVの病徴も抑制可能であることが分かった。
【０１９８】
（４）変異体の生育の検討
Δaaccddの三重変異体およびΔaabbccddの四重変異体は、トバモウイルスに対して強い抵抗性を有することがわかった。そこで、これらの変異体が、通常の栽培条件で、正常に生育し、果実を付けるかを確認した。
【０１９９】
野性型株と、Δaaccddの三重変異体と、Δaabbccddの四重変異体とについて、前記実施例１（２）と同様に吸水後、播種した。前記播種後、育苗およびポットへの定植を行ない栽培した。そして、吸水後２４、３９、７０および７９日における植物体の草姿および７９日目における着果を検討した。これらの結果を図４に示す。
【０２００】
図４は、野生型株ならびに変異体の生育および果実形成を示す写真である。図４において、（Ａ）は、吸水後２４日目の状態を示し、（Ｂ）は、吸水後３９日目の状態を示し、（Ｃ）は、吸水後７０日目の状態を示し、（Ｄ）は、吸水後７９日目の状態を示し、（Ｅ）は、吸水後７９日目における果実の状態を示す。図４（Ａ）〜（Ｄ）に示すように、いずれの変異体の生育は、概ね野生型株と同様であった。また、図４（Ｄ）および（Ｅ）に示すように、いずれの変異体の果実の形成も、概ね野生型株と同様であった。
【０２０１】
以上のことから、本発明のトマト植物は、トバモウイルス抵抗性を示すことがわかった。
【０２０２】
［実施例２］
本発明のトマト植物が、トバモウイルス抵抗性を示すことを確認した。
【０２０３】
（１）発病指数による抵抗性の評価−１
野性型株と、Δaabbcc、Δaabbdd、Δaaccdd、およびΔbbccddの三重変異体と、Δaabbccddの四重変異体とについて、前記実施例１（２）と同様に吸水後、播種した。そして、前記実施例１（２）と同様にして、吸水後１０日目にToBRFVを接種した。そして、さらに前述の条件で、２１〜２２日間培養し、生育したトマト植物について以下のように発病調査を行った。
【０２０４】
発病調査は、発病指数を、以下の基準にしたがって評価することにより実施した。また、発病指数の評価基準として発病指数０〜３の個体の代表例を図５の写真に示す（いずれもトマトの子葉にToBRFVを接種し、２１日後に非接種上葉の写真を撮影したもの）。なお、図５において、矢印Ｘで示す部分が、葉の萎縮が見られる箇所であり、矢印Ｙで示す囲った領域が、糸葉の発生が見られる箇所である。
発病指数０：無病徴
発病指数１：軽微な葉の萎縮
発病指数２：軽微な糸葉の発生と葉の萎縮
発病指数３：明確な糸葉の発生と葉の萎縮
【０２０５】
そして、各個体について、それぞれ、前記基準に従って発病指数を調査し、下記式より、各系統の発病度を求めた。
発病度（Ｎ）＝［（０×ｎ０）＋（１×ｎ１）＋（２×ｎ２）＋（３×ｎ３）］／調査個体数
前記式において、「０、１、２、３」は、それぞれ発病指数を示し、「ｎ０、ｎ１、ｎ２、ｎ３」は、それぞれ、発病指数０、発病指数１、発病指数２、発病指数３の個体数を示す。
【０２０６】
これの結果を下記表２に示す。下記表２は、各遺伝子型のトマト植物における各発病指数の個体数および発病度を示す。下記表２に示すように、Δaaccddの三重変異体またはΔaabbccddの四重変異体とすることにより、発病度が１未満となり、ToBRFVに対しても強い抵抗性を示すことが分かった。
【０２０７】
【表２】
0006810946.tif 000003
【０２０８】
（２）発病指数による抵抗性の評価−２
つぎに、野性型株と、Δaabbcc、Δaabbdd、Δaaccdd、およびΔbbccddの三重変異体とに代えて、ΔaaBBccDD (ww)、ΔaaBbccDD (hw)、ΔaabbccDD (mw)、ΔaaBBccDd (wh)、ΔaaBbccDd (hh)、ΔaabbccDd (mh)、ΔaaBBccdd (wm)、およびΔaaBbccdd (hm)の変異体を用いた以外は、前記実施例２（１）と同様にして、発病度を評価した。なお、Aは、野生型のSlTOM1a遺伝子を意味し、Bは、野生型のSlTOM1b遺伝子を意味し、Cは、野生型のSlTOM1c遺伝子を意味し、Dは、野生型のSlTOM1d遺伝子を意味する。この結果を下記表３に示す。
【０２０９】
【表３】
0006810946.tif 000004
【０２１０】
前記表３は、各遺伝子型のトマト植物における各発病指数の個体数および発病度を示す。前記表３に示すように、ΔaabbccDd (mh)、ΔaaBBccdd (wm)、ΔaaBbccdd (hm)、およびΔaabbccdd (mm)の変異体とすることにより、発病度が１未満となり、ToBRFVに対しても強い抵抗性を示すことが分かった。
【０２１１】
（３）ToBRFVゲノミックRNA蓄積量の評価
前記実施例２（１）におけるToBRFV接種後１４日目に、野生型株の各個体から非接種上葉を１枚回収した。また、前記実施例２（２）におけるToBRFV接種後１４日目に、各変異体の各個体から非接種上葉を１枚刈り取り、ジルコニアボール（直径３ｍｍ）２個の入った１．５ｍｌ遠心チューブに回収した。前記非接種上葉をチューブごと液体窒素で凍らせ、破砕装置（Qiagen Tissue Lyser、QIAGEN社製）にて毎秒２８回１５秒間の震盪を２回加えて粉砕し、RNA抽出試薬（RNAiso Plus、TaKaRa 社製）を用いて総ＲＮＡを抽出、精製および回収した。総ＲＮＡは水に溶解し、260 nmの吸光度から総ＲＮＡの濃度を算出した。
【０２１２】
つぎに、得られた総ＲＮＡについて、ToBRFVゲノミックRNAを、ウイルス外被タンパク質（ＣＰ）をコードする領域と相補的な下記プローブを用いてノーザンブロットにより定量した。なお、前記プローブは、ToBRFVゲノムRNA（GenBank：KX619418）の５７１３〜６０１９番目のヌクレオチドの相補鎖に相当し、当該領域は、外被タンパク質（ＣＰ）のコード領域の一部である。また、前記プローブは、後述のように、３２Ｐで標識している。前記ノーザンブロットは、具体的には、下記の手順で実施した。まず、精製したＲＮＡをグリオキサールにより変性し、１％アガロースゲル電気泳動による分画後、ナイロン膜（Hybond N+, GE Healthcare社製）に転写し、紫外線照射により固定した（Sambrookら編 Molecular Cloning: A Laboratory Manual 2nd Ed.〔Cold Spring Harbor Laboratory Press (1989)〕）。さらに、ハイブリダイゼーションバファファー（PerfectHyb Plus、Sigma社製）中で３２Ｐ標識したＲＮＡプローブと６８℃、１６時間ハイブリダイズさせた後、６８℃の１％ ＳＤＳ含有２×ＳＳＣ中で洗浄し、イメージアナライザー（Typhoon、GE Healthcare社製）を用いて、３２Ｐシグナルを検出および定量した。前記３２Ｐ標識ＲＮＡプローブは、ToBRFVゲノムＲＮＡ（GenBank：KX619418）から合成したToBRFV cDNAを含むプラスミドを鋳型とし、下記プローブ用プライマーセットを用いてＰＣＲにより増幅後、得られたＤＮＡ断片を鋳型とし、３２Ｐ−ＣＴＰ存在下でT7 RNAポリメラーゼを用いて合成した。なお、下記T7_ToBRFV6019Rにおいて下線で示す塩基配列が、T7 RNAポリメラーゼのプロモーターであり、下線部の３’末端のＧが読み出し位置（ToBRFVゲノムRNAの６０１９番目のヌクレオチド）の塩基である。そして、ノーザンブロットに供した総ＲＮＡ量で、各変異体の非接種上葉中の３２Ｐシグナルを補正した。そして、得られた補正値について、各遺伝子型の各個体の平均値を算出した。この結果を図６に示す。
【０２１３】
（ＣＰ検出用プローブ）
5'-GGGUUCGCCUGAUUUUCGACUUCUAUAAUCCUAUUUCUAGUAUCGAAAGCUCCUAACAAAGCAGUAACUAGAGGAUCUAGUACCGCAUUGUACCUAUACACCUUAAAACCACUGUCAGGAAACCUAACAGUGACUUGAGGGACAGGUUUCCACACUUCGCUAAAUUGCCGUUGAACGGUUGUUCUAGCUUGUUGUGUUUGGAACUGAUUACCUAGUGAAUUAGUACAUAAAUUUAUUAAUUCUAUAGGGUCGGCCCAUGCUGAUGACAAAAACACAAAUUGCGAUGGAGUUGCGAUUGUGUAAGACA-3'（配列番号２４）
【０２１４】
（プローブ用プライマーセット）
・フォワードプライマー：ToBRFV5713F
5'-TGTCTTACACAATCGCAACTCC-3'（配列番号２５）
・リバースプライマー：T7_ToBRFV6019R
5'-CGTACGTAATACGACTCACTATAGGGTTCGCCTGATTTTCGACTT-3'（配列番号２６）
【０２１５】
図６は、ＣＰをコードするゲノミックＲＮＡの相対量を示すグラフである。図６において、横軸は、変異体の種類を示し、縦軸は、ゲノミックＲＮＡの相対量を示す。図６に示すように、ΔaabbccDd (mh)、ΔaaBBccdd (wm)、ΔaaBbccdd (hm)、およびΔaabbccdd (mm)の変異体とすることにより、ToBRFVのＣＰをコードするゲノミックＲＮＡが見られなくなった。この結果は、前記実施例２（１）および（２）の病徴発現とよく一致するものであった。
【０２１６】
以上のことから、本発明のトマト植物は、トバモウイルス抵抗性を示すことがわかった。
【０２１７】
以上、実施形態および実施例を参照して本発明を説明したが、本発明は、上記実施形態および実施例に限定されるものではない。本発明の構成や詳細には、本発明のスコープ内で当業者が理解し得る様々な変更をすることができる。
【０２１８】
この出願は、２０２０年２月１２日に出願された日本出願特願２０２０−０２１９６０を基礎とする優先権を主張し、その開示の全てをここに取り込む。
【０２１９】
＜付記＞
上記の実施形態および実施例の一部または全部は、以下の付記のように記載されうるが、以下には限られない。
（付記１）
SlTOM1a遺伝子、SlTOM1c遺伝子、およびSlTOM1d遺伝子について、機能喪失している、トバモウイルス抵抗性トマト植物。
（付記２）
前記SlTOM1a遺伝子は、下記（ＮＡ）のポリヌクレオチドを含むトバモウイルス抵抗性制御遺伝子である、付記１記載のトマト植物：
（ＮＡ）下記（ＮＡ１）〜（ＮＡ７）のいずれかのポリヌクレオチド；
（ＮＡ１）配列番号１および２のいずれかの塩基配列からなるポリヌクレオチド；
（ＮＡ２）前記（ＮＡ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＡ３）前記（ＮＡ１）の塩基配列に対して、９０％以上の同一性を有する塩基配列からなり、トバモウイルス抵抗性制御活性を有するタンパク質をコードするポリヌクレオチド；
（ＮＡ４）前記（ＮＡ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＡ７）配列番号３のアミノ酸配列に対して、９０％以上の同一性を有するアミノ酸配列からなり、トバモウイルス抵抗性制御活性を有するタンパク質をコードするポリヌクレオチド。
（付記３）
前記SlTOM1c遺伝子は、下記（ＮＣ）のポリヌクレオチドを含むトバモウイルス抵抗性制御遺伝子である、付記１または２に記載のトマト植物：
（ＮＣ）下記（ＮＣ１）〜（ＮＣ７）のいずれかのポリヌクレオチド；
（ＮＣ１）配列番号７および８のいずれかの塩基配列からなるポリヌクレオチド；
（ＮＣ２）前記（ＮＣ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＣ３）前記（ＮＣ１）の塩基配列に対して、９０％以上の同一性を有する塩基配列からなり、トバモウイルス抵抗性制御活性を有するタンパク質をコードするポリヌクレオチド；
（ＮＣ４）前記（ＮＣ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＣ７）配列番号９のアミノ酸配列に対して、９０％以上の同一性を有するアミノ酸配列からなり、トバモウイルス抵抗性制御活性を有するタンパク質をコードするポリヌクレオチド。
（付記４）
前記SlTOM1d遺伝子は、下記（ＮＤ）のポリヌクレオチドを含むトバモウイルス抵抗性制御遺伝子である、付記１から３のいずれかに記載のトマト植物：
（ＮＤ）下記（ＮＤ１）〜（ＮＤ７）のいずれかのポリヌクレオチド；
（ＮＤ１）配列番号１０の塩基配列からなるポリヌクレオチド；
（ＮＤ２）前記（ＮＤ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＤ３）前記（ＮＤ１）の塩基配列に対して、９０％以上の同一性を有する塩基配列からなり、トバモウイルス抵抗性制御活性を有するタンパク質をコードするポリヌクレオチド；
（ＮＤ４）前記（ＮＤ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＤ７）配列番号１１のアミノ酸配列に対して、９０％以上の同一性を有するアミノ酸配列からなり、トバモウイルス抵抗性制御活性を有するタンパク質をコードするポリヌクレオチド。
（付記５）
SlTOM1a遺伝子の機能喪失遺伝子、SlTOM1c遺伝子の機能喪失遺伝子、およびSlTOM1d遺伝子の機能喪失遺伝子をホモ接合型で含む、付記１から４のいずれかに記載のトマト植物。
（付記６）
SlTOM1b遺伝子を機能喪失している、付記１から５のいずれかに記載のトマト植物。
（付記７）
前記SlTOM1b遺伝子は、下記（ＮＢ）のポリヌクレオチドを含むトバモウイルス抵抗性制御遺伝子である、付記６記載のトマト植物：
（ＮＢ）下記（ＮＢ１）〜（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＢ３）前記（ＮＢ１）の塩基配列に対して、９０％以上の同一性を有する塩基配列からなり、トバモウイルス抵抗性制御活性を有するタンパク質をコードするポリヌクレオチド；
（ＮＢ４）前記（ＮＢ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＢ７）配列番号６のアミノ酸配列に対して、９０％以上の同一性を有するアミノ酸配列からなり、トバモウイルス抵抗性制御活性を有するタンパク質をコードするポリヌクレオチド。
（付記８）
SlTOM1b遺伝子の機能喪失遺伝子をホモ接合型で含む、付記６または７に記載のトマト植物。
（付記９）
SlTOM1a遺伝子の機能喪失遺伝子、SlTOM1b遺伝子の機能喪失遺伝子、およびSlTOM1c遺伝子の機能喪失遺伝子をホモ接合型で含み、
SlTOM1d遺伝子の機能喪失遺伝子をヘテロ接合型で含む、付記６から８のいずれかに記載のトマト植物。
（付記１０）
各遺伝子の機能喪失遺伝子を含み、
前記機能喪失遺伝子は、各遺伝子の正常遺伝子に対して、１もしくは数個の塩基が欠失、置換、挿入および／または付加されることにより、生じた遺伝子である、付記１から９のいずれかに記載のトマト植物。
（付記１１）
各遺伝子の機能喪失遺伝子を含み、
前記機能喪失遺伝子は、各遺伝子の正常遺伝子に対して、フレームシフト突然変異が導入されることにより生じた遺伝子である、付記１から１０のいずれかに記載のトマト植物。
（付記１２）
各遺伝子の機能喪失遺伝子を含み、
前記機能喪失遺伝子は、各遺伝子の正常遺伝子が部分欠失または完全欠失し、生じた遺伝子である、付記１から１１のいずれかに記載のトマト植物。
（付記１３）
各遺伝子の機能喪失遺伝子を含み、
前記機能喪失遺伝子は、各遺伝子の正常遺伝子において、エキソン領域に変異が導入されることにより生じた遺伝子である、付記１から１２のいずれかに記載のトマト植物。
（付記１４）
前記トバモウイルス抵抗性トマト植物は、植物体またはその部分である、付記１から１３のいずれかに記載のトマト植物。
（付記１５）
前記トバモウイルス抵抗性トマト植物は、種子である、付記１から１４のいずれかに記載のトマト植物。
（付記１６）
下記（ａ）工程を含む、トバモウイルス抵抗性トマト植物の生産方法：
（ａ）付記１から１５のいずれかに記載のトバモウイルス抵抗性トマト植物と、他のトマト植物とを交雑する工程。
（付記１７）
下記（ｂ）工程を含む、付記１６記載の生産方法：
（ｂ）前記（ａ）工程より得られたトマト植物またはその後代系統から、トバモウイルス抵抗性トマト植物を選抜する工程。
（付記１８）
前記（ｂ）工程における選抜は、SlTOM1a遺伝子、SlTOM1c遺伝子、およびSlTOM1d遺伝子を機能喪失しているトバモウイルス抵抗性トマト植物の選抜である、付記１７記載の生産方法。
（付記１９）
前記（ｂ）工程における選抜は、SlTOM1a遺伝子の機能喪失遺伝子、SlTOM1c遺伝子の機能喪失遺伝子、およびSlTOM1d遺伝子の機能喪失遺伝子をホモ接合型で含むトバモウイルス抵抗性トマト植物の選抜である、付記１７または１８に記載の生産方法。
（付記２０）
前記（ｂ）工程における選抜は、SlTOM1b遺伝子を機能喪失しているトバモウイルス抵抗性トマト植物の選抜である、付記１７から１９のいずれかに記載の生産方法。
（付記２１）
前記（ｂ）工程における選抜は、SlTOM1b遺伝子の機能喪失遺伝子をホモ接合型で含むトバモウイルス抵抗性トマト植物の選抜である、付記２０記載の生産方法。
（付記２２）
前記（ｂ）工程における選抜は、
SlTOM1a遺伝子の機能喪失遺伝子、SlTOM1b遺伝子の機能喪失遺伝子、およびSlTOM1c遺伝子の機能喪失遺伝子をホモ接合型で含み、
SlTOM1d遺伝子の機能喪失遺伝子をヘテロ接合型で含む、
トバモウイルス抵抗性トマト植物の選抜である、付記２０または２１に記載の生産方法。
（付記２３）
前記（ａ）工程に先立って、下記（ｘ）工程を含む、付記１６から２２のいずれかに記載の生産方法：
（ｘ）被検トマト植物から、付記１から１５のいずれかに記載のトバモウイルス抵抗性トマト植物を選抜する工程。
（付記２４）
前記（ｘ）工程における選抜は、SlTOM1a遺伝子、SlTOM1c遺伝子、およびSlTOM1d遺伝子を機能喪失しているトバモウイルス抵抗性トマト植物の選抜である、付記２３記載の生産方法。
（付記２５）
前記（ｘ）工程における選抜は、SlTOM1a遺伝子の機能喪失遺伝子、SlTOM1c遺伝子の機能喪失遺伝子、およびSlTOM1d遺伝子の機能喪失遺伝子をホモ接合型で含むトバモウイルス抵抗性トマト植物の選抜である、付記２３または２４に記載の生産方法。
（付記２６）
前記（ｘ）工程における選抜は、SlTOM1b遺伝子を機能喪失しているトバモウイルス抵抗性トマト植物の選抜である、付記２３から２５のいずれかに記載の生産方法。
（付記２７）
前記（ｘ）工程における選抜は、SlTOM1b遺伝子の機能喪失遺伝子をホモ接合型で含むトバモウイルス抵抗性トマト植物の選抜である、付記２６記載の生産方法。
（付記２８）
前記（ｘ）工程における選抜は、
SlTOM1a遺伝子の機能喪失遺伝子、SlTOM1b遺伝子の機能喪失遺伝子、およびSlTOM1c遺伝子の機能喪失遺伝子をホモ接合型で含み、
SlTOM1d遺伝子の機能喪失遺伝子をヘテロ接合型で含む、
トバモウイルス抵抗性トマト植物の選抜である、付記２６または２７に記載の生産方法。
（付記２９）
前記SlTOM1a遺伝子は、下記（ＮＡ）のポリヌクレオチドを含むトバモウイルス抵抗性制御遺伝子である、付記１８、１９、２２、２４、および２５のいずれかに記載の生産方法：
（ＮＡ）下記（ＮＡ１）〜（ＮＡ７）のいずれかのポリヌクレオチド；
（ＮＡ１）配列番号１および２のいずれかの塩基配列からなるポリヌクレオチド；
（ＮＡ２）前記（ＮＡ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＡ３）前記（ＮＡ１）の塩基配列に対して、９０％以上の同一性を有する塩基配列からなり、トバモウイルス抵抗性制御活性を有するタンパク質をコードするポリヌクレオチド；
（ＮＡ４）前記（ＮＡ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＡ５）配列番号３のアミノ酸配列からなるタンパク質をコードするポリヌクレオチド；
（ＮＡ６）配列番号３のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＡ７）配列番号３のアミノ酸配列に対して、９０％以上の同一性を有するアミノ酸配列からなり、トバモウイルス抵抗性制御活性を有するタンパク質をコードするポリヌクレオチド。
（付記３０）
前記SlTOM1c遺伝子は、下記（ＮＣ）のポリヌクレオチドを含むトバモウイルス抵抗性制御遺伝子である、付記１８、１９、２２、２４、および２５のいずれかに記載の生産方法：
（ＮＣ）下記（ＮＣ１）〜（ＮＣ７）のいずれかのポリヌクレオチド；
（ＮＣ１）配列番号７および８のいずれかの塩基配列からなるポリヌクレオチド；
（ＮＣ２）前記（ＮＣ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＣ３）前記（ＮＣ１）の塩基配列に対して、９０％以上の同一性を有する塩基配列からなり、トバモウイルス抵抗性制御活性を有するタンパク質をコードするポリヌクレオチド；
（ＮＣ４）前記（ＮＣ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＣ５）配列番号９のアミノ酸配列からなるタンパク質をコードするポリヌクレオチド；
（ＮＣ６）配列番号９のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＣ７）配列番号９のアミノ酸配列に対して、９０％以上の同一性を有するアミノ酸配列からなり、トバモウイルス抵抗性制御活性を有するタンパク質をコードするポリヌクレオチド。
（付記３１）
前記SlTOM1d遺伝子は、下記（ＮＤ）のポリヌクレオチドを含むトバモウイルス抵抗性制御遺伝子である、付記１８、１９、２２、２４、および２５のいずれかに記載の生産方法：
（ＮＤ）下記（ＮＤ１）〜（ＮＤ７）のいずれかのポリヌクレオチド；
（ＮＤ１）配列番号１０の塩基配列からなるポリヌクレオチド；
（ＮＤ２）前記（ＮＤ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＤ３）前記（ＮＤ１）の塩基配列に対して、９０％以上の同一性を有する塩基配列からなり、トバモウイルス抵抗性制御活性を有するタンパク質をコードするポリヌクレオチド；
（ＮＤ４）前記（ＮＤ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＤ５）配列番号１１のアミノ酸配列からなるタンパク質をコードするポリヌクレオチド；
（ＮＤ６）配列番号１１のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＤ７）配列番号１１のアミノ酸配列に対して、９０％以上の同一性を有するアミノ酸配列からなり、トバモウイルス抵抗性制御活性を有するタンパク質をコードするポリヌクレオチド。
（付記３２）
前記SlTOM1b遺伝子は、下記（ＮＢ）のポリヌクレオチドを含むトバモウイルス抵抗性制御遺伝子である、付記２０から２２および２６から２８のいずれかに記載の生産方法：
（ＮＢ）下記（ＮＢ１）〜（ＮＢ７）のいずれかのポリヌクレオチド；
（ＮＢ１）配列番号４および５のいずれかの塩基配列からなるポリヌクレオチド；
（ＮＢ２）前記（ＮＢ１）の塩基配列において、１もしくは数個の塩基が欠失、置換、挿入および／または付加された塩基配列からなり、トバモウイルス抵抗性制御活性を有するタンパク質をコードするポリヌクレオチド；
（ＮＢ３）前記（ＮＢ１）の塩基配列に対して、９０％以上の同一性を有する塩基配列からなり、トバモウイルス抵抗性制御活性を有するタンパク質をコードするポリヌクレオチド；
（ＮＢ４）前記（ＮＢ１）の塩基配列からなるポリヌクレオチドに対してストリンジェントな条件下でハイブリダイズするポリヌクレオチドに、相補的な塩基配列からなり、トバモウイルス抵抗性制御活性を有するタンパク質をコードするポリヌクレオチド；
（ＮＢ５）配列番号６のアミノ酸配列からなるタンパク質をコードするポリヌクレオチド；
（ＮＢ６）配列番号６のアミノ酸配列において、１もしくは数個のアミノ酸が欠失、置換、挿入および／または付加されたアミノ酸配列からなり、トバモウイルス抵抗性制御活性を有するタンパク質をコードするポリヌクレオチド；
（ＮＢ７）配列番号６のアミノ酸配列に対して、９０％以上の同一性を有するアミノ酸配列からなり、トバモウイルス抵抗性制御活性を有するタンパク質をコードするポリヌクレオチド。
（付記３３）
前記トバモウイルス抵抗性トマト植物は、各遺伝子の機能喪失遺伝子を含み、
前記機能喪失遺伝子は、前記各遺伝子の正常遺伝子に対して、１もしくは数個の塩基が欠失、置換、挿入および／または付加されることにより、生じた遺伝子である、付記１８から２２および２４から２８のいずれかに記載の生産方法。
（付記３４）
前記トバモウイルス抵抗性トマト植物は、各遺伝子の機能喪失遺伝子を含み、
前記機能喪失遺伝子は、前記各遺伝子の正常遺伝子に対して、フレームシフト突然変異が導入されることにより生じた遺伝子である、付記１８から２２、２４から２８、および３３のいずれかに記載の生産方法。
（付記３５）
前記トバモウイルス抵抗性トマト植物は、各遺伝子の機能喪失遺伝子を含み、
前記機能喪失遺伝子は、前記各遺伝子の正常遺伝子が部分欠失または完全欠失し、生じた遺伝子である、付記１８から２２、２４から２８、３３、および３４のいずれかに記載の生産方法。
（付記３６）
前記トバモウイルス抵抗性トマト植物は、各遺伝子の機能喪失遺伝子を含み、
前記機能喪失遺伝子は、前記各遺伝子の正常遺伝子において、エキソン領域に変異が導入されることにより生じた遺伝子である、付１８から２２、２４から２８、３３、および３３から３５のいずれかに記載の生産方法。
（付記３７）
対象のトマト植物のSlTOM1a遺伝子、SlTOM1c遺伝子、およびSlTOM1d遺伝子を機能喪失させる機能喪失工程を含む、トマト植物におけるトバモウイルス抵抗性の付与方法。
（付記３８）
前記機能喪失工程では、１対のSlTOM1a遺伝子、１対のSlTOM1c遺伝子、および１対のSlTOM1d遺伝子に機能喪失変異を導入する、付記３７記載の付与方法。
（付記３９）
前記機能喪失工程では、対象のトマト植物のSlTOM1b遺伝子に対して、機能喪失変異を導入する、付記３７または３８に記載の付与方法。
（付記４０）
前記機能喪失工程では、１対のSlTOM1b遺伝子に機能喪失変異を導入する、付記３９記載の付与方法。
（付記４１）
前記機能喪失工程では、１対のSlTOM1a遺伝子、１対のSlTOM1b遺伝子、および１対のSlTOM1c遺伝子と、１対のSlTOM1d遺伝子のうちいずれか一方とに機能喪失変異を導入する、付記３９または４０に記載の付与方法。
（付記４２）
前記機能喪失工程では、前記各遺伝子の塩基配列に対して、１もしくは数個の塩基が欠失、置換、挿入および／または付加することにより、機能喪失変異を導入する、付記３７から４１のいずれかに記載の付与方法。
（付記４３）
前記機能喪失工程では、前記各遺伝子に対して、フレームシフト突然変異を導入することにより、機能喪失変異を導入する、付記３７から４２のいずれかに記載の付与方法。
（付記４４）
前記機能喪失工程では、前記各遺伝子の正常遺伝子を部分欠失または完全欠失させることにより、機能喪失変異を導入する、付記３７から４３のいずれかに記載の付与方法。
（付記４５）
前記機能喪失工程では、前記各遺伝子の正常遺伝子において、エキソン領域に変異を導入することにより、機能喪失変異を導入する、付記３７から４４のいずれかに記載の付与方法。
（付記４６）
前記機能喪失工程では、前記各遺伝子について、機能喪失遺伝子をホモ接合型で有するように変異を導入する、付記３７から４５のいずれかに記載の付与方法。
（付記４７）
前記機能喪失工程により得られたトマト植物またはその後代系統から、トバモウイルス抵抗性トマト植物を選抜する工程を含む、付記３７から４６のいずれかに記載の付与方法。
（付記４８）
対象のトマト植物にトバモウイルス抵抗性を付与する付与工程を含み、
前記付与工程は、付記３７から４７のいずれかに記載のトマト植物におけるトバモウイルス抵抗性の付与方法により実施される、トバモウイルス抵抗性トマト植物の生産方法。
（付記４９）
被検トマト植物から、SlTOM1a遺伝子、SlTOM1c遺伝子、およびSlTOM1d遺伝子を機能喪失している被検トマト植物を、トバモウイルス抵抗性トマト植物として選抜する選抜工程を含む、トバモウイルス抵抗性トマト植物のスクリーニング方法。
（付記５０）
前記選抜工程では、SlTOM1a遺伝子の機能喪失遺伝子、SlTOM1c遺伝子の機能喪失遺伝子、およびSlTOM1d遺伝子の機能喪失遺伝子をホモ接合型で含む被検トマト植物を、トバモウイルス抵抗性トマト植物として選抜する、付記４９記載のスクリーニング方法。
（付記５１）
前記選抜工程では、SlTOM1b遺伝子を機能喪失している、被検トマト植物を、トバモウイルス抵抗性トマト植物として選抜する、付記４９または５０に記載のスクリーニング方法。
（付記５２）
前記選抜工程では、SlTOM1b遺伝子の機能喪失遺伝子をホモ接合型で含む被検トマト植物を、トバモウイルス抵抗性トマト植物として選抜する、付記５１記載のスクリーニング方法。
（付記５３）
前記選抜工程では、
SlTOM1a遺伝子の機能喪失遺伝子、SlTOM1b遺伝子の機能喪失遺伝子、およびSlTOM1c遺伝子の機能喪失遺伝子をホモ接合型で含み、
SlTOM1d遺伝子の機能喪失遺伝子をヘテロ接合型で含む、
被検トマト植物を、トバモウイルス抵抗性トマト植物として選抜する、付記５１または５２に記載のスクリーニング方法。
（付記５４）
前記選抜工程では、前記各遺伝子の正常遺伝子に対して、１もしくは数個の塩基が欠失、置換、挿入および／または付加されることにより、生じた遺伝子を含む被検トマト植物を、トバモウイルス抵抗性トマト植物として選抜する、付記４９から５３のいずれかに記載のスクリーニング方法。
（付記５５）
前記選抜工程では、前記各遺伝子の正常遺伝子に対して、フレームシフト突然変異が導入されることにより生じた遺伝子を含む被検トマト植物を、トバモウイルス抵抗性トマト植物として選抜する、付記４９から５４のいずれかに記載のスクリーニング方法。
（付記５６）
前記選抜工程では、前記各遺伝子の正常遺伝子が部分欠失または完全欠失し、生じた遺伝子を含む被検トマト植物を、トバモウイルス抵抗性トマト植物として選抜する、付記４９から５５のいずれかに記載のスクリーニング方法。
（付記５７）
前記選抜工程では、前記各遺伝子の正常遺伝子において、エキソン領域に変異が導入されることにより生じた遺伝子を含む被検トマト植物を、トバモウイルス抵抗性トマト植物として選抜する、付記４９から５６のいずれかに記載のスクリーニング方法。
（付記５８）
被検トマト植物から、SlTOM1a遺伝子、SlTOM1c遺伝子、およびSlTOM1d遺伝子について、機能喪失している被検トマト植物をスクリーニングするスクリーニング工程を含み、
前記スクリーニング工程は、付記４９から５７のいずれかに記載のトバモウイルス抵抗性トマト植物のスクリーニング方法により実施される、トバモウイルス抵抗性トマト植物の生産方法。
（付記５９）
付記１６から３６、４８および５８のいずれかに記載のトバモウイルス抵抗性トマト植物の生産方法により得られる、トバモウイルス抵抗性トマト植物。
（付記６０）
被検トマト植物において、SlTOM1a遺伝子、SlTOM1c遺伝子、およびSlTOM1d遺伝子が機能喪失しているかを検出する検出工程を含む、トマト植物のトバモウイルス抵抗性の検出方法。
（付記６１）
前記検出工程では、前記被検トマト植物において、SlTOM1a遺伝子の機能喪失遺伝子、SlTOM1c遺伝子の機能喪失遺伝子、およびSlTOM1d遺伝子の機能喪失遺伝子がホモ接合型で存在しているかを検出する検出工程を含む、付記６０記載の検出方法。
（付記６２）
前記検出工程では、前記被検トマト植物において、SlTOM1b遺伝子が機能喪失しているかを検出する、付記６０または６１に記載の検出方法。
（付記６３）
前記検出工程では、前記被検トマト植物において、SlTOM1b遺伝子の機能喪失遺伝子がホモ接合型で存在しているかを検出する検出工程を含む、付記６２記載の検出方法。
（付記６４）
前記検出工程では、前記被検トマト植物において、
SlTOM1a遺伝子の機能喪失遺伝子、SlTOM1b遺伝子の機能喪失遺伝子、およびSlTOM1c遺伝子の機能喪失遺伝子がホモ接合型で存在し、
SlTOM1d遺伝子の機能喪失遺伝子がヘテロ接合型で存在しているか
を検出する検出工程を含む、付記６２または６３記載の検出方法。
（付記６５）
前記検出工程では、前記各遺伝子の正常遺伝子に対して、１もしくは数個の塩基が欠失、置換、挿入および／または付加されることにより、生じた遺伝子を含むかを検出する、付記６０から６４のいずれかに記載の検出方法。
（付記６６）
前記検出工程では、前記各遺伝子の正常遺伝子に対して、フレームシフト突然変異が導入されることにより生じた遺伝子を含むかを検出する、付記６０から６５のいずれかに記載の検出方法。
（付記６７）
前記検出工程では、前記各遺伝子の正常遺伝子が部分欠失または完全欠失し、生じた遺伝子を含むかを検出する、付記６０から６６のいずれかに記載の検出方法。
（付記６８）
前記検出工程では、前記各遺伝子の正常遺伝子において、エキソン領域に変異が導入されることにより生じた遺伝子を含むかを検出する、付記６０から６７のいずれかに記載の検出方法。
（付記６９）
付記１から１５および５９のいずれか一項に記載のトバモウイルス抵抗性トマト植物を用いた、トマト植物の加工食品。
【産業上の利用可能性】
【０２２０】
以上のように、本発明のトマト植物は、ToBRFVに対しても抵抗性を示す。したがって、本発明は、例えば、育種分野、農業分野等において極めて有用である。
【要約】      （修正有）【課題】ToBRFVに対する抵抗性を有するトマト植物を提供する。【解決手段】SlTOM1a遺伝子、SlTOM1c遺伝子、およびSlTOM1dについて機能喪失している、トバモウイルス抵抗性トマト植物。【選択図】図２【図１】
0006810946.tif 000005
【図２】
0006810946.tif 000006
【図３】
0006810946.tif 000007
【図４】
0006810946.tif 000008
【図５】
0006810946.tif 000009
【図６】
0006810946.tif 000010
【配列表】
0006810946000001.app